(57)【要約】      （修正有）【課題】ユーザーがパフを利用して化粧品を擦る吐出板の一面に繊維材質を具備してユーザーに柔らかい触感を提供し、化粧品が排出される吐出板の一面に金属箔またはステッカー膜を具備するか、コーティング、メッキ、または蒸着を遂行して外観の美麗さを与えることができる化粧品容器を提供する。【解決手段】化粧品容器は、化粧品を外部へ排出させる排出手段１２０と、排出手段１２０から化粧品が排出される一側に具備され、少なくとも一つ以上の吐出口１５１を具備する吐出板１５０と、を含み、吐出板１５０は、少なくとも一面の少なくとも一部分に吐出板１５０と材質を異にする吐出板加工部が具備される。【選択図】図３
2018011966.tif 000002
【特許請求の範囲】
【請求項１】
化粧品を外部へ排出させる排出手段と、
前記排出手段から前記化粧品が排出される一側に具備され、少なくとも一つ以上の吐出口を具備する吐出板と、を含み、
前記吐出板は、
少なくとも一面の少なくとも一部分に前記吐出板と材質を異にする吐出板加工部が具備されたことを特徴とする化粧品容器。
【請求項２】
前記吐出板加工部は、
天然繊維、人造繊維、金属繊維、ガラス繊維を含むグループより選択される少なくとも一つ以上の繊維材質からなることを特徴とする請求項１に記載の化粧品容器。
【請求項３】
前記天然繊維は、麻、絹、毛または木綿を含み、
前記人造繊維は、繊維レーヨン、アセテート、ナイロン、ポリエステル、アクリル、ウレタン、ビスコース、またはテンシルを含み、
前記金属繊維は、金糸、銀糸、または針金を含むことを特徴とする請求項２に記載の化粧品容器。
【請求項４】
前記繊維材質は、フロック加工によって形成されることを特徴とする請求項２に記載の化粧品容器。
【請求項５】
前記繊維材質は、前記吐出板の厚さより相対的に低い高さで具備されることを特徴とする請求項２に記載の化粧品容器。
【請求項６】
前記繊維材質を構成する個別繊維は、
前記吐出板に付着した一端から終端にいくにしたがって一方向または前記吐出板の中心から遠ざかる方向へ傾斜するように形成されることを特徴とする請求項２に記載の化粧品容器。
【請求項７】
前記繊維材質は、
前記吐出板の一面に超音波溶着、熱圧着、または接着剤を使用する接合方式によって具備されるか、または前記吐出板の一面を取り囲んで覆われる方式によって具備されることを特徴とする請求項２に記載の化粧品容器。
【請求項８】
前記繊維材質は、
前記吐出板の一面に安着されて前記繊維材質と前記吐出板の縁を一緒に固定するフレームによって結合されることを特徴とする請求項２に記載の化粧品容器。
【請求項９】
前記吐出板加工部は、
金属材質の薄膜であることを特徴とする請求項１に記載の化粧品容器。
【請求項１０】
前記薄膜は、１ないし５０ミクロメーターの厚さを有することを特徴とする請求項９に記載の化粧品容器。
【請求項１１】
前記吐出板加工部は、
前記吐出板の一面に接着されるステッカー膜であることを特徴とする請求項１に記載の化粧品容器。
【請求項１２】
前記ステッカー膜は、
前記吐出板の一面が複数の層で積層され、層ごとに除去が可能に具備されることを特徴とする請求項１１に記載の化粧品容器。
【請求項１３】
前記吐出板加工部は、
塗料が塗布されてコーティングされることで形成されることを特徴とする請求項１に記載の化粧品容器。
【請求項１４】
前記塗料は、
ソルベントを含み、セラミックス、金属、プラスチック、ガラス、紙、ゴム、シリコンを含むグループより選択される少なくとも一つ以上をさらに含み、
乾燥されることによってソルベントが除去されて残留成分が前記吐出板の一面にコーティングされるようにすることを特徴とする請求項１３に記載の化粧品容器。
【請求項１５】
前記塗料は、
前記吐出板の一面が無光コーティング、有光コーティング、パールコーティング、メタルコーティング、ホログラムコーティング、ラバーコーティング、エンボスコティング、感光コーティング、感温コーティング、蓄光コーティングを含むグループより選択される少なくとも一つ以上でコーティングされることを特徴とする請求項１３に記載の化粧品容器。
【請求項１６】
前記吐出板加工部は、
蒸着またはメッキによって形成されることを特徴とする請求項１に記載の化粧品容器。
【請求項１７】
前記吐出板加工部は、
金、銀、銅、ニッケル、鉄、クロム、アルミニウム、銅、亜鉛、スズを含むグループより選択される少なくとも一つ以上の材質で蒸着またはメッキされることを特徴とする請求項１６に記載の化粧品容器。
【請求項１８】
記吐出板加工部は、
電気メッキ、化学メッキ、溶融メッキのうち少なくとも一つ以上でメッキされるか、または気体状態の物質を前記吐出板の一面で固体化させる方式により蒸着されることを特徴とする請求項１６に記載の化粧品容器。
【請求項１９】
前記吐出板と前記排出手段との間に具備されて前記排出手段から排出された前記化粧品を前記吐出口へ伝達するための拡散空間を具備し、
前記吐出板と面接触で密着される拡散部をさらに含むことを特徴とする請求項１に記載の化粧品容器。
【請求項２０】
前記拡散部は、
上面で前記拡散空間の外側に具備されて前記吐出板と密着される密着面と、
前記密着面の外側に具備されるパッキング材を含むことを特徴とする請求項１９に記載の化粧品容器。
【発明の詳細な説明】
【技術分野】
【０００１】
本発明は、化粧品容器に関し、より詳細には、化粧品が吐出板に形成された複数の吐出口を介して排出されて、ユーザーがパフを利用して吐出板上の化粧品を擦って使用するようにし、吐出板の上面に繊維材質、薄膜、蒸着外面、コーティング面などを形成してユーザーの満足度を向上させるか、化粧品の漏出を防止しながら内部構造を単純化して製造コストを低減することができる化粧品容器に関する。
【背景技術】
【０００２】
一般的に広く利用されているファウンデーション（Ｆｏｕｎｄａｔｉｏｎ）などのような固形化粧品や日焼け止めのクリーム（Ｓｕｎ  Ｂｌｏｃｋ）などのような液体化粧品は、肌を保護すると同時に派手になるようにし、しわを改善するなどの効果のために使用される。この際、ユーザーはパフで化粧品をつけた後、肌に塗るような方式を使用することができる。
【０００３】
パフの場合、化粧品の容器内に収容された状態で販売されることができ、一般的にパフなどは、化粧品容器の蓋内部に収容されている場合がある。したがって、ユーザーは化粧品を使用するために、蓋を開けてパフを引き出し、パフに具備された弾性紐などを指に挟んでいる状態で、パフを化粧品に接触させることで、パフに化粧品が所定量だけつくようにすることができる。
【０００４】
この際、ユーザーは、パフを化粧品に直接接触させなければならないので、ユーザーがパフを利用して化粧品を加圧する圧力によって必要以上の化粧品がパフに付着してしまい、パフが無駄使いになるという問題がある。
【０００５】
したがって、最近、スポンジなどに化粧品を含浸させ、ユーザーがパフでスポンジを押すと、スポンジに染みこんでいた液体化粧品が排出されることによってパフに供給されるような方式が開発されている。
【０００６】
しかしながら、このような従来の化粧品容器は、既存の問題と同様に、ユーザーがスポンジを押す圧力によってパフに必要以上の化粧品が付着して出ることがあり、さらには、ユーザーが間違って過度な圧力でスポンジを加圧すると、パフから肌に直接触れる面のみならず、ユーザーの指に隣接した面まで化粧品が付着してしまい、ユーザーに大きい不便さをもたらすという問題がある。
【０００７】
それだけでなく、従来の場合、ユーザーは、スポンジに含浸されていた化粧品をパフにつけて顔などの肌に接触させて化粧品を塗って、再び繰り返してパフを化粧料が含浸されているスポンジに押して接触させることになるが、この際に肌に存在するウイルスやかび、細菌などによって化粧品に深刻な汚染が発生し得る。
【０００８】
また、化粧品内の汚染微生物は、化粧品の使用が完了するまで成長することによって製品の汚染を持続して、結果的に肌の刺激、肌トラブル、肌アレルギー、変臭などの問題を引き起こすことになる。
【０００９】
ユーザーがこのような不便なことを経験する場合、化粧品を忌避するようになり、美容のために使った製品がむしろ個人の衛生と肌トラブルを引き起こすことで、深刻な不満を抱くようになる。
【００１０】
このような微生物の汚染が無いように化粧品を保管して安全に使用するためには、中身と外部汚染源との接触を最小限に減らす構造が好ましく、また、使おうとする量だけをとり、残りの化粧品は安全に微生物の汚染なしに保管状態を維持することができるような条件が必要である。
【００１１】
このような問題の解決及び検討は、真剣に解決しなければならない問題であり、このような根本的な解決なしに化粧品を美容目的として使用するように勧めることはむしろ深刻な肌の副作用を経験することになる。
【先行技術文献】
【特許文献】
【００１２】
【特許文献１】韓国登録特許公報第１０−１３５５３６４号（２０１４．０１．２３．公告）
【発明の概要】
【発明が解決しようとする課題】
【００１３】
したがって、本発明は、上記のような従来技術の問題を鑑みて案出されたもので、その目的は、ユーザーがパフを利用して化粧品を擦る吐出板の一面に繊維材質を具備してユーザーに柔らかい触感を提供し、化粧品が排出される吐出板の一面に金属箔またはステッカー膜を具備するか、コーティング、メッキ、または蒸着を遂行して外観の美麗さを与えることができる化粧品容器を提供することである。
【００１４】
また、本発明の他の目的は、吐出板に形成された少なくとも一つ以上の吐出口を介して化粧品が排出されるようにし、化粧品が空気と接触されることを最小限に減らして衛生性を高めた化粧品容器を提供することである。
【００１５】
また、本発明のその他の目的は、吐出板の吐出口へ化粧品をガイドする拡散部が吐出板と密着される構造を有するようにし、化粧品が外側へ漏れることを防止すると同時に、残留量を最少化することができる化粧品容器を提供することである。
【００１６】
また、本発明のその他の目的は、拡散部に形成される拡散空間だけで化粧品が流れるように拡散部の構成を単純化して製造コストを低減することができ、化粧品の吐出が円滑になされるようにすることができる化粧品容器を提供することである。
【課題を解決するための手段】
【００１７】
上記目的を達成するために本発明の一実施例による化粧品容器は、化粧品を外部へ排出させる排出手段と、前記排出手段から前記化粧品が排出される一側に具備され、少なくとも一つ以上の吐出口を具備する吐出板とを含み、前記吐出板は、少なくとも一面の少なくとも一部分に前記吐出板と材質を異にする吐出板加工部が具備されたことを特徴とする。
【００１８】
また、前記吐出板加工部は、天然繊維、人造繊維、金属繊維、ガラス繊維を含むグループより選択される少なくとも一つ以上の繊維材質からなることができる。
【００１９】
また、前記天然繊維は、麻、絹、毛または木綿を含み、前記人造繊維は、繊維レーヨン、アセテート、ナイロン、ポリエステル、アクリル、ウレタン、ビスコース、またはテンシルを含み、前記金属繊維は、金糸、銀糸、または針金を含むことができる。
【００２０】
また、前記繊維材質は、フロック加工によって形成されることができる。
【００２１】
また、前記繊維材質は、前記吐出板の厚さより相対的に低い高さで具備されることができる。
【００２２】
また、前記繊維材質を構成する個別繊維は、前記吐出板に付着した一端から終端にいくにしたがって一方向または前記吐出板の中心から遠ざかる方向へ傾斜するように形成されることができる。
【００２３】
また、前記繊維材質は、前記吐出板の一面に超音波溶着、熱圧着、または接着剤を使用する接合方式によって具備されるか、または前記吐出板の一面を取り囲んで覆われる方式によって具備されることができる。
【００２４】
また、前記繊維材質は、前記吐出板の一面に安着されて前記繊維材質と前記吐出板の縁を一緒に固定するフレームによって結合されることができる。
【００２５】
また、前記吐出板加工部は、金属材質の薄膜であり得る。
【００２６】
また、前記薄膜は、１ないし５０ミクロメーターの厚さを有することができる。
【００２７】
また、前記吐出板加工部は、前記吐出板の一面に接着されるステッカー膜でありえる。
【００２８】
また、前記ステッカー膜は、前記吐出板の一面が複数の層で積層され、層ごとに除去が可能に具備されることができる。
【００２９】
また、前記吐出板加工部は、塗料が塗布されてコーティングされることで形成されることができる。
【００３０】
また、前記塗料は、ソルベントを含み、セラミックス、金属、プラスチック、ガラス、紙、ゴム、シリコンを含むグループより選択される少なくとも一つ以上をさらに含み、乾燥されることによってソルベントが除去されて残留成分が前記吐出板の一面にコーティングされるようにすることができる。
【００３１】
また、前記塗料は、前記吐出板の一面が無光コーティング、有光コーティング、パールコーティング、メタルコーティング、ホログラムコーティング、ラバーコーティング、エンボスコティング、感光コーティング、感温コーティング、蓄光コーティングを含むグループより選択される少なくとも一つ以上でコーティングされるようにすることができる。
【００３２】
また、前記吐出板加工部は、蒸着またはメッキによって形成されることができる。
【００３３】
また、前記吐出板加工部は、金、銀、銅、ニッケル、鉄、クロム、アルミニウム、銅、亜鉛、スズを含むグループより選択される少なくとも一つ以上の材質で蒸着またはメッキされることができる。
【００３４】
また、前記吐出板加工部は、電気メッキ、化学メッキ、溶融メッキのうち少なくとも一つ以上でメッキされるか、または気体状態の物質を前記吐出板の一面で固体化させる方式により蒸着されることができる。
【００３５】
また、前記吐出板と前記排出手段との間に具備されて前記排出手段から排出された前記化粧品を前記吐出口へ伝達するための拡散空間を具備し、前記吐出板と面接触で密着される拡散部をさらに含むことができる。
【００３６】
また、前記拡散部は、上面で前記拡散空間の外側に具備されて前記吐出板と密着される密着面と、前記密着面の外側に具備されるパッキング材と、を含むことができる。
【発明の効果】
【００３７】
以上のように、本発明による化粧品容器によれば、ユーザーの使用時にパフが触れる吐出板の一面に繊維材質を具備してユーザーが柔らかい触感が感じられるようにし、または、化粧品が排出される吐出板の一面にステッカーなどの薄膜を形成したり、コーティング、メッキ、または蒸着を行ったりすることで外部へ露出する吐出板の一面により美しさを極大化することができる。
【００３８】
また、本発明による化粧品容器によれば、吐出板に形成された非常に小さな孔を介して化粧品が吐出されるようにし、内部に貯蔵されている化粧品に空気が流入されることを最大限に遮断して微生物の発生などのような化粧品の汚染を効果的に防止することができる。
【００３９】
また、本発明による化粧品容器によれば、排出手段から化粧品を吐出板の吐出口へ伝達する拡散部を具備するが、拡散部に具備される密着面などを活用して吐出板と拡散部との密着を具現することで、化粧品が外部へ抜けてゆくことを防止し、ユーザーの満足度を向上させることができる。
【００４０】
また、本発明による化粧品容器によれば、拡散部が吐出板に直接密着されるようにして簡単な構造で化粧品の拡散空間を外部と隔離させることができるので、製造コストを低減することができ、内部に残る残留量を最少化すると同時に、化粧品の吐出を円滑に具現することができる。
【図面の簡単な説明】
【００４１】
【図１】本発明の第１ないし第９実施例による化粧品容器の斜視図である。
【図２】本発明の第１ないし第９実施例による化粧品容器の斜視図である。
【図３】本発明の第１実施例による化粧品容器の分解斜視図である。
【図４】本発明の第１実施例による化粧品容器の断面図である。
【図５】本発明の第１実施例による化粧品容器のガイド板の平面図である。
【図６】本発明の第１実施例による化粧品容器の網部材の平面図である。
【図７】本発明の第２実施例による化粧品容器の分解斜視図である。
【図８】本発明の第２実施例による化粧品容器の断面図である。
【図９】本発明の第３実施例による化粧品容器のガイド板の平面図である。
【図１０】本発明の第３実施例による化粧品容器の網部材の平面図である。
【図１１】本発明の第４実施例による化粧品容器の斜視図である。
【図１２】本発明の第４実施例による化粧品容器の断面図である。
【図１３】本発明の第４実施例による化粧品容器のロッキング部の斜視図である。
【図１４】本発明による化粧品容器の冷感効果に対するユーザーの満足度を示したグラフである。
【図１５】本発明による化粧品容器の温度の変化を示したグラフである。
【図１６】本発明による化粧品容器の細菌繁殖度を示したグラフである。
【図１７】従来の含浸スポンジに対する汚染度を示した図面である。
【図１８】本発明による化粧品容器の吐出板材質による摩耗を示した図面である。
【図１９】本発明の第６実施例による化粧品容器の吐出板の断面図である。
【図２０】本発明の第６実施例による化粧品容器の吐出板の断面図である。
【図２１】本発明の第７実施例による化粧品容器の吐出板の断面図である。
【図２２】本発明の第７実施例による化粧品容器の吐出板の断面図である。
【図２３】本発明の第９実施例による化粧品容器の吐出板の断面図である。
【図２４】本発明の第１０ないし第１４実施例による化粧品容器の斜視図である。
【図２５】本発明の第１０ないし第１４実施例による化粧品容器の斜視図である。
【図２６】本発明の第１０実施例による化粧品容器の分解斜視図である。
【図２７】本発明の第１１実施例による化粧品容器の分解斜視図である。
【図２８】本発明の第１２実施例による化粧品容器の分解斜視図である。
【図２９】本発明の第１３実施例による化粧品容器の分解斜視図である。
【図３０】本発明の第１４実施例による化粧品容器の分解斜視図である。
【図３１】本発明の第１０実施例による化粧品容器の部分断面図である。
【図３２】本発明の第１１実施例による化粧品容器の部分断面図である。
【図３３】本発明の第１２実施例による化粧品容器の部分断面図である。
【図３４】本発明の第１３実施例による化粧品容器の部分断面図である。
【図３５】本発明の第１４実施例による化粧品容器の部分断面図である。
【発明を実施するための形態】
【００４２】
本発明の目的、利点及び新規な特徴等は添付された図面等に係わる以下の詳細な説明及び望ましい実施例からさらに明らかになる。
【００４３】
本明細書で各図面の構成要素らに参照番号を付け加えることにおいて、同一の構成要素らに限ってはたとえ他の図面上に表示されてもできるだけ同じ番号を有するようにしている。
【００４４】
また、本発明を説明するにあたり、関連する公知技術についての具体的な説明が本発明の要旨を不要に不明りょうにすることがあると判断される場合、その詳細な説明は省略する。
【００４５】
以下、添付された図面を参照して本発明の望ましい実施例について詳しく説明する。
【００４６】
図１及び図２は、本発明の第１ないし第９実施例による化粧品容器の斜視図である。図１は蓋１８０が閉まった状態を示されたもので、図２は、蓋１８０が開いている状態を示されたものである。さらに、図３は、本発明の第１実施例による化粧品容器の分解斜視図で、図４は、本発明の第１実施例による化粧品容器の断面図である。
【００４７】
図１ないし図４を参照すれば、本発明の第１実施例による化粧品容器１１は、容器本体１１０、ポンプ１２０、ガイド板１３０、網部材１４０、吐出板１５０、縁部１６０、外側カバー１７０、蓋１８０を含む。
【００４８】
容器本体１１０は、内部に化粧品を収容する。容器本体１１０に貯蔵されている化粧品は、後述するポンプ１２０によって外部へ排出されることができ、この際、化粧品は液体化粧品を含むことができる。
【００４９】
容器本体１１０は、下部本体１１２及び上部本体１１１を含んで構成され、下部本体１１２が上部本体１１１に結合されることで容器本体１１０が密閉されることができる。容器本体１１０を下部及び上部に区分するのは、容器本体１１０に化粧品を容易に収容するためである。
【００５０】
具体的には、下部本体１１２は、内部が陥没された形状を有するが、化粧品を貯蔵するためには、まず下部本体１１２の内部に化粧品を充填して、上部本体１１１を下部本体１１２の上部に結合して上部本体１１１が下部本体１１２を覆うようにすれば、容器本体１１０に簡単に化粧品を詰めることができる。
【００５１】
もちろん、本実施例は、容器本体１１０を下部本体１１２及び上部本体１１１によって行われることに限定されるものではなく、容器本体１１０には、別途の化粧品供給用開閉口（図示せず）が形成されて、化粧品が開閉口を介して容器本体１１０の内部に収容された後、開閉口が密閉されるようにして容器本体１１０に化粧品を充填することもできる。
【００５２】
すなわち、本実施例では、容器本体１１０の形態や構造などを特に限定するものではなく、化粧品を収容することができる空間が形成されるのであれば、どのような形態の容器本体でも使用可能である。
【００５３】
容器本体１１０には、ポンプ１２０が具備されることができるが、具体的には容器本体１１０の上部中央にポンプ１２０が具備されることができる。したがって、容器本体１１０に収容されている化粧品は、ポンプ１２０によって容器本体１１０の上方へ排出されることができる。
【００５４】
容器本体１１０の内部には、加圧板１１３が形成されることができる。加圧板１１３は、容器本体１１０に収容された化粧品がポンプ１２０によって抜けてゆくときに、容器本体１１０の嵩が減少して内部の圧力が減ることによって容器本体１１０が破損されることを防止することができる。
【００５５】
すなわち、加圧板１１３は、化粧品が排出されるにしたがって下降していき、化粧品が貯蔵された空間の圧力を一定に維持することができる。この際、加圧板１１３の下降できるようにするために容器上部には外部から空気が流入され得るようにした空気流入口１１４が形成されることができる。
【００５６】
ポンプ１２０は、容器本体１１０に具備されて化粧品を外部へ排出させる。ポンプ１２０は、エアレスポンプである場合があり、容器本体１１０に収容されている液体化粧品を吸い込んで容器本体１１０の外部である容器本体１１０の上方へ排出させることができる。この際、排出された化粧品は後述するガイド板１３０、網部材１４０、吐出板１５０を経ってユーザーのパフが接近することができる外部へ露出されることができる。
【００５７】
ポンプ１２０は、シリンダ１２１、ピストン１２２、昇降部材１２３で構成されることができる。
【００５８】
シリンダ１２１は、中空１２１１を有する形態で容器本体１１０の中央部分に結合され、容器本体１１０と一体に製作されることができる。
【００５９】
シリンダ１２１の内部には、ピストン１２２とピストンリング１２４が具備されることができ、シリンダ１２１の下部には化粧品の流入のための第１の孔１２１２が形成されることができる。
【００６０】
ピストン１２２は、シリンダ１２１の内部に具備されて上下運動することで、容器本体１１０内の化粧品を外部の上部へ排出させる。
【００６１】
ピストン１２２は、内部に化粧品が通過できるようにする中空１２２１が形成されることができ、ピストン１２２の下面には外部に突出されるフランジ１２２３が具備されることができる。また、ピストン１２２の外周面には化粧品が流入されることができる第２の孔１２２２が形成されることができる。
【００６２】
ピストン１２２の外周面には、ピストンリング１２４が具備されて、ピストン１２２とシリンダ１２１との間の密閉を具現する。
【００６３】
ピストンリング１２４は、外側がシリンダ１２１に接し、内側がピストン１２２または後述する昇降部材１２３に接することができ、ピストン１２２及び昇降部材１２３によって上下運動することができる。この際、ピストンリング１２４の上方の動きはフランジ１２２３によって具現されて昇降部材１２３によって制限され、下方の動きは昇降部材１２３によって具現されてフランジ１２２３によって制限されることができる。
【００６４】
昇降部材１２３は、ピストン１２２の上部に結合されて外力によって下降するとき、ピストン１２２を加圧する。昇降部材１２３は、ピストン１２２の上部を取り囲みながらピストン１２２に結合されることができ、ピストン１２２とともに上下に動くことができる。昇降部材１２３の下側にはピストンリング１２４が結合されることができる。
【００６５】
昇降部材１２３とシリンダ１２１との間には、ピストンリング１２４が具備されるが、追加的な密閉のためにポンプ１２０は密閉部材１２５をさらに含むことができる。
【００６６】
密閉部材１２５は、シリンダ１２１の外側を取り囲みながらシリンダ１２１の上部の一部を覆う形態で具備されて、昇降部材１２３下部の縁に密着されている場合もある。
【００６７】
また、ポンプ１２０は、昇降部材１２３及びピストン１２２に上方弾性力を提供するために弾性部材１２６をさらに含むことができる。
【００６８】
弾性部材１２６は、スプリングが使用可能であり、上端が昇降部材１２３の下面に密着されて下端がシリンダ１２１または密閉部材１２５の上面に密着されて、昇降部材１２３を押し上げることができる。
【００６９】
以下では、ポンプ１２０の作動原理について説明する。まず、昇降部材１２３が下降すると、ピストン１２２をも下降するようになり、ただし、ピストンリング１２４はシリンダ１２１の内面との摩擦によって下降しなくなることによって、ピストン１２２の外周面に形成された第２の孔１２２２は、ピストンリング１２４から脱するようになってシリンダ１２１の内部空間と連通される。
【００７０】
この際、ピストンリング１２４は、昇降部材１２３の下降が持続すれば昇降部材１２３によって押されて下降するようになり、シリンダ１２１の内部空間の嵩を減少させることになってシリンダ１２１の内部空間は、圧力が上昇することになる。
【００７１】
したがって、圧力が高くなったシリンダ１２１の内部空間に位置していた化粧品は、シリンダ１２１の内部空間と連通されているピストン１２２外周面の第２の孔１２２２を介してピストン１２２の内部に沿って排出される。この場合、ポンプ１２０は化粧品の逆流を防止するためにシリンダ１２１の中央下部に形成された第１の孔１２１２に逆流防止部材１２７を具備することができる。
【００７２】
逆に、昇降部材１２３が弾性部材１２６によって上昇するようになれば、ピストンリング１２４は下降時と同様にシリンダ１２１の内面との摩擦によって停止している途中、ピストン１２２のフランジ１２２３によって上昇するようになる。
【００７３】
この際、ピストン１２２のフランジ１２２３にピストンリング１２４が密着すると、ピストン１２２外周面の第２の孔１２２２は閉鎖される。また、ピストンリング１２４が上昇すると、シリンダ１２１内部空間の嵩が増加されるので、シリンダ１２１の内部空間は、低圧状態となる。
【００７４】
したがって、容器本体１１０に収容された化粧品は、シリンダ１２１の内部へと自然に流入される。このような過程を繰り返すことでポンプ１２０は、容器本体１１０に収容された化粧品を外部へ排出させることができる。
【００７５】
もちろん、本実施例がポンプ１２０の構成を上記のとおり限定するものではなく、ポンプ１２０はエアレスポンプ以外にも多様な方式を使用することができる。すなわち、ポンプ１２０は容器本体１１０から化粧品を排出させることさえできれば、いずれの構成でも使用可能である。
【００７６】
さらに、本実施例は、排出手段としてポンプ１２０を使用する代りに、液状の化粧品が含浸されているスポンジを使用することができる。スポンジは、後述するガイド板１３０などによって加圧されることによって、内部に収容している化粧品をガイド板１３０の排出口１３１を介して外部へ排出させることができる。
【００７７】
この際、スポンジは、ポリアミド、ポリエステル、ポリエーテル、ポリウレタン、ポリエチレン、ポリスチレン、ポリオレフイン、ポリビニールアルコール、ポリアミド、ポリエステル、ポリプロピレン、ポリアクリル、ポリビニールクロライド、エポキシレジン、海錦、ナイロン、木綿、不織布などを含むグループから選ばれる少なくともいずれか一つ以上によって構成されることができる。
【００７８】
ガイド板１３０は、ポンプ１２０の上部に結合されてポンプ１２０によって排出される化粧品をガイドする。ガイド板１３０は、ポンプ１２０と後述する網部材１４０との間に具備されてポンプ１２０の昇降部材１２３に結合されることができ、ガイド板１３０の下降は昇降部材１２３の下降を具現することができる。
【００７９】
ガイド板１３０については図５を参照して詳しく説明する。
【００８０】
図５は、本発明の第１実施例による化粧品容器におけるガイド板の平面図である。
【００８１】
図５を参照すれば、本発明の第１実施例による化粧品容器１１のガイド板１３０は、ポンプ１２０の出口に対応する位置に排出口１３１が具備されることができる。ポンプ１２０の出口とは、ピストン１２２の中空１２２１部分を意味し、排出口１３１は、ガイド板１３０の中央に位置することができる。
【００８２】
また、ガイド板１３０は、排出口３１と連通されて排出口１３１を中心に放射状に形成される排出路１３２をさらに含むことができる。化粧品は、ピストン１２２の内部中空１２２１を経ってガイド板１３０の排出口１３１へ排出されるが、後述する吐出板１５０には排出口１３１と対応する位置に吐出口１５１が形成されない場合もありえる。すなわち、ガイド板１３０の排出口１３１を介して上方へ排出された化粧品は、上方の動きが吐出板１５０によって遮断される。
【００８３】
この際、化粧品は排出路１３２に沿って放射状に流れるようになり、このように排出口１３１を外部と連通させないのは、ポンプ１２０作動の際、化粧品が吐出板１５０の中央にのみ集中的に排出されることを防止するためである。
【００８４】
排出路１３２は、放射状に複数個が形成されることができ、図面では８個を図示しているが、本発明は排出路１３２の個数を限定しない。ただし、排出路１３２は、放射状の対称形態で具備されることによって化粧品が均等に排出されるようにすることができる。
【００８５】
また、ガイド板１３０は、排出路１３２の周辺に形成される縁路１３３をさらに含むことができる。化粧品は、ポンプ１２０によって排出され、排出路１３２に沿って流れるようになるが、必要以上の化粧品が排出されれば化粧品がガイド板１３０の外側面に沿って漏出されて容器本体１１０などを汚染させることがあり、本発明を把持しているユーザーの手にも化粧品が付着するようになって、ユーザーに不快さを与えることがある。
【００８６】
したがって、本実施例では、排出路１３２の周辺に縁路１３３を形成して、排出路１３２から化粧品が満ち溢れると、縁路１３３が化粧品を外部に漏出しないように遮断することができる。
【００８７】
この際、縁路１３３は、排出路１３２から離隔して設置されて排出路１３２と連通されないように具備することができ、排出路１３２が放射状に形成されるため、縁路１３３は放射状の排出路１３２を取り囲む花模様、または円形などで形成されることができる。すなわち、縁路１３３は上方から眺めた場合、排出路１３２が形成された部分には外側へ膨らんでいて、排出路１３２が形成されない部分には内側へ膨らんでいる形状であり得る。
【００８８】
縁路１３３には、シーリング部材１３４が安着されることができる。シーリング部材１３４は、ゴムなどの材質からなり、縁路１３３と同様に花模様または円形などの形態を有することができ、シーリング部材１３４が縁路１３３に配置されることによって縁路１３３まで化粧品が到逹しても化粧品はシーリング部材１３４によって塞がれてガイド板１３０の外側へ排出されないことも可能である。
【００８９】
本実施例のガイド板１３０は、縁路１３３の外側に追加で円形の補助縁路（図１２の１３８参照）をさらに具備することができ、この際、円形の補助縁路には円形のパッキング材（図１２の１３９参照）が具備されることができる。円形のパッキング材は、発泡ゴムや発泡ウレタンなどの発泡材質で製作され、シーリング部材１３４とともに化粧品の漏出を防止することができる。したがって、本実施例では、１次で縁路１３３に具備されたシーリング部材１３４によってシーリングし、２次で補助縁路に具備されたパッキング材によってシーリングすることができるため、二重密閉構造によってポンプ２０から排出された化粧品が外部へ抜けていくことを完璧に遮断することができる。
【００９０】
ただし、本発明のガイド板１３０は、排出路１３２を取り替えるか、または排出路１３２とともに、化粧品がポンプ１２０から排出されて吐出板１５０の吐出口１５１に抜けてゆくようにする拡散空間を形成することができる。
【００９１】
この際、拡散空間は円盤形態などの空間である場合があり、ポンプ１２０の出口からすり抜けて来た化粧品が吐出口１５１に適切に分配されるように吐出口１５１と連通されるような多様な形態を有することができる。したがって、ガイド板１３０は、排出路１３２を有する代わりに拡散空間を具備することで拡散部として利用することができる。
【００９２】
網部材１４０は、ポンプ１２０から化粧品が排出される一側に具備されて、少なくとも一部分がメッシュ形態に形成される。網部材１４０は、ポンプ１２０の上部に具備されて、具体的にはガイド部の上面に安着されることができる。この際、ガイド板１３０は網部材１４０の安着のためにガイドリブ１３５が形成されることができ、網部材１４０は、ガイド板１３０のガイドリブ１３５内に安着されることができる。
【００９３】
網部材１４０については図６を参照して詳しく説明する。
【００９４】
図６は、本発明の第１実施例による化粧品容器における網部材の平面図である。
【００９５】
図６に示されたように、本発明の第１実施例による化粧品容器１１の網部材１４０は、一側に陥没部１４２が形成され、ガイド板１３０はガイドリブ１３５の内側に突出部１３６が形成され、網部材１４０は、陥没部１４２が突出部１３６にかみ合わされるとガイドリブ１３５内に安着されることができる。
【００９６】
すなわち、網部材１４０がガイド部材に結合されると、網部材１４０の安着角度は、陥没部１４２及び突出部１３６によって限定され得る。もちろん、反対に網部材１４０に突出部が形成され、ガイド板１３０に陥没部が形成されて網部材１４０の安着角度が制限される場合もある。
【００９７】
この際、網部材１４０の安着角度とは、網部材１４０の中心を垂直に貫通する線を基準として網部材１４０が回転する時の角度の中で、網部材１４０がガイド板１３０に安着されることができる特定の角度を意味する。
【００９８】
網部材１４０の安着角度を限定するのは、放射状に形成されたガイド板１３０の排出路１３２と網部材１４０のメッシュ部分１４１を対応させるためである。もちろん、網部材１４０のメッシュ部分１４１が排出路１３２をすべて包括する円形で具備される場合には、網部材１４０の安着角度を限定する必要がないかもしれないが、網部材１４０のメッシュ部分１４１が円形で形成されることによって縁路１３３にも密着される場合、化粧品がメッシュ部分１４１に載って排出路１３２から縁路１３３に伝達されてシーリング効率が低下されることがあり得る。
【００９９】
したがって、メッシュ部分１４１は排出路１３２をすべて包括するが、縁路１３３には対応されないようにする形状及び大きさを有することができる。すなわち、具体的な例示で、縁路１３３が花模様の場合、メッシュ部分１４１は放射形態であり得るが、陥没部１４２と突出部１３６とによって網部材１４０の安着角度が限定されなければならず、縁路１３３が円形の場合、メッシュ部分１４１は円形であり得るし、網部材１４０の安着角度の限定が必要ではない。
【０１００】
ただし、縁路１３３が円形であってもメッシュ部分１４１が放射形態であればメッシュ部分１４１と吐出路とを対応させなければならないので、網部材１４０の安着角度が限定されなければならない。ただし、網部材１４０の安着角度は、排出路１３２の個数に応じて複数に限定されることができるので、陥没部１４２と突出部３６１は複数で具備されることができる。
【０１０１】
網部材１４０は、上記のようにメッシュ部分１４１が形成されているので、ガイド板１３０を介して排出された液体化粧品がメッシュ部分１４１を通過できるようにすることができ、この場合、網部材１４０は、化粧品の飛び散ることを防止することができる。
【０１０２】
すなわち、網部材１４０のメッシュ部分１４１が化粧品の動きを多少阻止することができるため、ユーザーがポンプ１２０を作動して化粧品を外部へ排出させても、化粧品は滑らかに吐出板１５０の吐出口１５１に沿って流れるようになるだけで、跳ね上がらなくなる。
【０１０３】
この際、網部材１４０のメッシュ部分１４１は、ポリエステル、ナイロン、ウール、木綿のような繊維または混紡糸が使用可能であり、また、鉄、亜鉛、銅、またはこれらの金属の合金及びメッキされた金属などのような多様な材質で製作されることができる。その他にも中身の成分と粘性及び用途、そして製品の安全性などを考慮して適切な材質が選択されることができる。
【０１０４】
したがって、本実施例では、ポンプ１２０を利用して化粧品を抜き出して使うようにするが、網部材１４０のメッシュ部分１４１が化粧品の排出を邪魔することで、外部へ排出される化粧品は跳ね上がらずに吐出板１５０に均一に供給されることができる。これにより、本実施例では本実施例が使用される空間を汚染させることなく、ユーザーの便宜性を向上させることができる。
【０１０５】
ただし、本発明は化粧品の粘度によって網部材１４０の省略が可能である。すなわち、化粧品が高粘度の場合、飛び上がりの発生が予想されないので網部材１４０を略し、化粧品がガイド板１３０と吐出板１５０を介して外部へ排出されるようにすることができる。この場合、ガイド板１３０は、前述したように化粧品が吐出板１５０の吐出口１５１へ排出されるように化粧品を拡散させる拡散部として機能することができる。
【０１０６】
吐出板１５０は、網部材１４０の上面に具備されて複数の吐出口１５１を具備する。吐出板５０は、さびの発生が防止される鉄、ステンレススチール、銅、亜鉛、スズ、アルミニウムなどのような金属材質で形成されることができ、さらにこのような素材の合金またはメッキされた金属材質で構成されることができる。
【０１０７】
特に、吐出板５０にメッキをする場合、クロム、銅、銀、金などのように耐食性と防汚性、抗菌性能、そして美しさと美麗さを付与してユーザーらに高級感を与えることができ、衛生性を満足させることのできる材質を使用することが好ましく、網部材１４０のメッシュ部分１４１またはガイド板１３０の排出路１３２に対応する位置に吐出口１５１を具備することができる。
【０１０８】
この際、吐出板１５０は、厚さが０．１ないし１ｍｍ（好ましくは０．２ｍｍないし０．３ｍｍ）で、アルミニウム、アルミニウム合金、ステンレスなどのように腐食に強くてさびがつかない金属素材で構成されることができ、セラミックスのような素材で構成されることも可能である。
【０１０９】
具体的には、吐出板１５０は、ステンレスとして耐食性、耐酸性、耐熱性が良好なＳＵＳ３００系列の中でＳＵＳ３０４材質が可能であり、特に、抗菌性と衛生性を向上させるために、３０４Ｊ１材質からなることも可能である。
【０１１０】
もちろん、本実施例では、吐出板１５０の材質をこれに限定せず、３０４系列を含む３０１Ｌ、３０４Ｌ、３０４ＬＮ、３０４Ｎ１、３０５ＥＧ、３０９Ｓ、３１０Ｓ、３１６、３１６Ｌ、３１６ＬＮ、３１６Ｔｉ、３１７Ｌ、３２１、３４７、３２９Ｊ３Ｌ、３２９ＬＤのうち少なくともいずれか一つの材質で構成されることができる。
【０１１１】
したがって、本実施例ではＳＵＳ３００系列のステンレスからなる吐出板１５０を使用することで、ポンプ１２０を介して排出される化粧品が安着されて、化粧品が持続的に付着している吐出板１５０上面の衛生を清潔に維持することができ、腐食などを効果的に防止することができる。
【０１１２】
また、本実施例では、金属材質の吐出板１５０を利用することによって吐出板１５０が熱を効率的に発散できるようにして、化粧品の温度を下げる冷却効果を具現することができる。
【０１１３】
本実施例では、前述したようにポンプ１２０の代わりに含浸スポンジを使用することができるが、含浸スポンジを使用する場合には金属材質の吐出板１５０が含浸スポンジを加圧するのに使用されることができる。
【０１１４】
ただし、吐出板１５０が含浸スポンジを直接加圧すると、含浸スポンジが吐出板１５０と持続的に接触することによって、吐出板１５０の温度が含浸スポンジの温度と平衡を維持するようになって、含浸スポンジから化粧品が排出される際に、吐出板１５０による化粧品の冷却が行われない場合があり、また、吐出板１５０の吐出口１５１を介して空気が含浸スポンジに流入されて含浸スポンジに収容された化粧品の汚染が発生し得る。
【０１１５】
しかしながら、実施例では、含浸スポンジを使用しても吐出板１５０と含浸スポンジとの間にガイド板１３０と網部材１４０などが配置されるようにして、吐出板１５０を含浸スポンジなどの排出手段から離隔させて上記のような短所が発生しないようにすることができる。
【０１１６】
すなわち、本実施例では、化粧品を排出する排出手段から吐出板１５０を離隔させ、吐出板１５０が化粧品の温度より相対的に低い温度を維持できるようにすることで、排出手段を介して排出される化粧品が吐出板１５０に接触する際に、冷却されるようにしてユーザーに極度の満足感を提供することができる。
【０１１７】
さらに、本実施例では、排出手段としてエアレスポンプ１２０を利用することができるので、吐出板１５０に形成された吐出口１５１を介して空気が流入されてもポンプ１２０の内部に収容された化粧品に空気が伝達されないようにし、化粧品を汚染から保護することができる。また、本実施例では、ポンプ１２０を利用する場合、含浸スポンジを使う場合に比べて使用されずに残る量を約５％前後に最少化することができる。
【０１１８】
吐出板１５０は、上面に化粧品が付着するようになるが、ユーザーがパフなどを利用して吐出板１５０の上面に付着した化粧品を擦る時、化粧品に含まれる粉末などによって吐出板１５０上面の摩耗が起きることがあり得る。したがって、本実施例は、吐出板１５０の上面をコーティングするかまたは特定の物質でメッキをすることで、ユーザーが化粧品を吐出板１５０の上面で擦っても吐出板１５０の耐久度が低下されることを防止することができる。
【０１１９】
この際、吐出板１５０には吐出板１５０を構成する金属と異なる金属がメッキされることができ、異例的にクロムメッキが行われることができる。具体的には、吐出板１５０には３価クロムメッキまたは６価クロムメッキが適用されることができる。
【０１２０】
このように本実施例では、吐出板１５０を金属材質で形成し、少なくとも一面にクロムをメッキすることで、衛生性と抗菌性及び耐久性をすべて確保することができ、また、吐出板１５０に付着している化粧品が簡便に拭かれるようにすることで、清潔な使用ができるようにしてユーザーの便宜性を向上させることができる。
【０１２１】
これは、本実施例が吐出板１５０の上面に別途の部材が置かれないようにして吐出板１５０の上面が直接外部に露出するようにしたからこそ可能である。
【０１２２】
ガイド板１３０の排出路１３２は放射状に形成されて、網部材１４０のメッシュ部分１４１は、ガイド板１３０の排出路１３２を包括する形態を有するため、吐出口１５１は排出路１３２と同様に放射状に具備されることができる。
【０１２３】
この際、放射状に具備される吐出口１５１は、吐出板１５０の中心から遠ざかるにしたがって直径が大きくなることができる。化粧品は、ポンプ１２０によって中央から排出されてガイド板１３０の排出路１３２に沿って流れるようになるので、中心から遠ざかるにしたがって相対的に化粧品の流量が減少するようになる。したがって、吐出口１５１の直径をすべて同一にすると、吐出板１５０の上面には化粧品が均一に分布されないこともあるので、吐出口１５１は中心から遠ざかるにしたがって大きく形成することが好ましい。
【０１２４】
吐出口１５１は、前に説明したように、吐出板１５０の中心部分には形成されないことがある。吐出板１５０の中心部分に吐出口１５１が形成されると、ガイド板１３０を強く加圧する時、化粧品がガイド板１３０の排出口１３１と網部材１４０とのメッシュ部分１４１、吐出板１５０の吐出口１５１を一度に貫通しながら跳ね上がることもあるからである。
【０１２５】
吐出板１５０に形成された吐出口１５１は、直径が０．１ないし１ｍｍで、非常に小さい場合がある。吐出口１５１の直径を小さくするのは、ユーザーがポンプ１２０によって吐出板１５０の上部へ排出される化粧品の量を容易でかつ細密に調節できるようにするためであり、さらに吐出口１５１を介して異物が内部に流入されないようにするためである。
【０１２６】
具体的には、吐出口１５１は、吐出板１５０の中心を基準として４５°の間隔で放射状に具備されることができ、吐出板１５０の中心部分より遠ざかる一定の方向に３個が並んで具備されることができる。この際、並んで具備される３個の吐出口１５１は、吐出板１５０の中心より近い順序で０．３ｍｍ、０．４ｍｍ、０．５ｍｍの直径を有することができる。
【０１２７】
したがって、本実施例では、エアレスポンプタイプのポンプ１２０に上記のような非常に小径を有する吐出口１５１を具備した吐出板１５０を使用するので、化粧品が空気と接触されるのを最大限遮断することにより、化粧品に含まれた一部の成分が揮発されることを充分に防止することができる。
【０１２８】
このように吐出口１５１が非常に小さい径を有することによって、吐出板１５０を射出方式で製作する場合には吐出口１５１の正確な製作が難しい。したがって、本実施例では、吐出板１５０を製作した後、吐出口１５１をエッチング方式で成形し、０．１ｍｍの吐出口１５１を製作することができる。
【０１２９】
吐出板１５０の吐出口１５１を放射状に形成されるガイド板１３０の排出路１３２と対応させるために、ガイド板１３０には一側に突起１３７が形成され、吐出板１５０には突起１３７に結合される結合口１５２が形成されることができる。
【０１３０】
すなわち、吐出板１５０は結合口１５２にガイド板１３０の突起１３７が結合されるようにすることで、ガイド板１３０に安着されることができ、これは前述の網部材１４０で説明したように吐出板１５０の安着角度を制限するためである。これに関して詳細な内容については前述した陥没部１４２及び突出部１３６の部分で説明した内容で代替する。
【０１３１】
縁部１６０は、ガイド板１３０の上部及び容器本体１１０に結合される。縁部１６０は、内側縁部１６１と外側縁部１６２とを含むことができる。内側縁部１６１は、吐出板１５０の縁を取り囲みながらガイド板１３０に結合され、ガイド板１３０と網部材１４０、吐出板１５０が圧縮された状態で固定されるようにすることができる。
【０１３２】
この際、内側縁部１６１の内部は貫通された形態で、吐出板１５０が外部へ露出するようにして吐出板１５０の上面へ排出された化粧品を外部へ露出させることができる。
【０１３３】
内側縁部１６１は、吐出板１５０と一体型で製作されることができる。これは、内側縁部１６１の下降の際、吐出板１５０が一緒に下降する構成であるから可能である。この場合、内側縁部１６１の材質は、吐出板１５０の材質と同一または類似であることができ、一例として、鉄、ステンレススチール、銅、亜鉛、スズ、アルミニウムなどのような金属材質またはこれらの素材の合金またはメッキされた金属材質で構成されることができる。
【０１３４】
また、内側縁部１６１は、美観の向上、耐久性の向上などのような効果を有するために、吐出板１５０と同じようにクロム、銅、銀、金などの金属材質でメッキされることができる。
【０１３５】
外側縁部１６２は、内側縁部１６１の外側に具備されて、容器本体１１０に結合されることができる。ただし、外側縁部１６２は内側縁部１６１に固定されることなく、内側縁部１６１の昇降を許容しながら内側縁部１６１の外側を取り囲むことができる。このために内側縁部１６１の外面には、内側鋸歯１６１１が形成されて、外側縁部１６２の内面には内側縁部１６１の内側鋸歯１６１１に対応する形態の外側鋸歯１６２１が形成され、外側縁部１６２は内側縁部１６１の回転は制限し、昇降は許容することができる。
【０１３６】
外側縁部１６２の側面の中で後述する蓋１８０のヒンジ結合部分及び掛け部１７２が形成された部分は、結合の際に構成間の干渉を回避するために陥没されている場合がある。
【０１３７】
外側縁部１６２は、後述する外側カバー１７０に結合されることができ、内側縁部１６１は、外側縁部１６２を基準に昇降されてポンプ１２０を作動させることができる。
【０１３８】
すなわち、ユーザーは、外側カバー１７０を把持した状態で内側縁部１６１の内側にある吐出板１５０をパフ（図示せず）などで加圧すれば、外側カバー１７０に結合された外側縁部１６２の内側で吐出板１５０と結合された内側縁部１６１が下降しながら、ガイド板１３０が一緒に下降してポンプ１２０が作動することによって、化粧品が吐出板１５０の上面及び内側縁部１６１の奥側へ供給されることができる。
【０１３９】
したがって、ユーザーは吐出板１５０の上面に露出した化粧品をパフなどで取って肌に擦って使用することができる。
【０１４０】
外側カバー１７０は、容器本体１１０の周辺を取り囲む構成である。外側カバー１７０は容器本体１１０が安着される空間を有し、ただし、外側カバー１７０には下方に容器本体１１０が露出するようにした開放部１７１が形成されることができる。これは、ユーザーが外側カバー１７０の開放部１７１を介して容器本体１１０を上方へ押し上げると、容器本体１１０などが分離されるようにして、容器本体１１０の交替ができるようにするためである。
【０１４１】
外側カバー１７０の上面は、外側から中心に向かう方向に沿って順次に外側縁部１６２、内側縁部１６１、吐出板１５０によってカバーされることができる。したがって、ユーザーはガイド板１３０や網部材１４０、ポンプ１２０などを外部から見ることができないので、本実施例は、美観を向上させてユーザーの満足度を高めることができる。
【０１４２】
外側カバー１７０には掛け部１７２が含まれることができる。掛け部１７２は、蓋１８０に結合されて蓋１８０の開放を遮断するもので、ボタン１７２１と掛け金１７２２が一体型で構成されることができる。すなわち、掛け部１７２は、ユーザーがボタン１７２１を押すと、掛け金１７２２も加圧方向に動き、掛け金１７２２が蓋１８０から離脱されるようにした方式により、蓋１８０の開閉を制御することができる。
【０１４３】
蓋１８０は、外側カバー１７０の一側（本実施例では上側）を開閉する。蓋１８０は、一側が外側カバー１７０にヒンジ結合されることができ、ヒンジの中心を基準に回転して外側カバー１７０の上部を開放させることができる。この際、蓋１８０は、前に説明した掛け部１７２によって外側カバー１７０の上部を密閉した状態で固定されることができる。
【０１４４】
蓋１８０は、外側カバー１７０にヒンジ結合されるが、ヒンジ結合部分にはスプリングなどを具備して掛け部１７２によって蓋１８０のロッキングが解除されると、自動的に蓋１８０が開放されるようにすることができる。
【０１４５】
蓋１８０の内側には、鏡１８１が具備されることができ、ユーザーは蓋１８０を開けて鏡１８１を見ながら吐出板１５０または内側縁部１６１を加圧して化粧品を容器本体１１０から排出させて使用することができる。
【０１４６】
このように、本実施例では、ポンプ１２０から化粧品が排出される時、網部材１４０によって化粧品の移動がかかるようにすることで、化粧品が吐出板１５０の上面から噴出されることを防止してユーザーが便利でかつ清潔に化粧品を使用できるようにすることができる。
【０１４７】
図７は、本発明の第２実施例による化粧品容器の分解斜視図で、図８は本発明の第２実施例による化粧品容器の断面図である。
【０１４８】
図７及び図８を参照すれば、本発明の第２実施例による化粧品容器は、ボタン部１９０をさらに含むことができる。
【０１４９】
以下では本実施例における構成の中で第１実施例と異なる部分を重点的に説明する。ただし、本実施例の構成が第１実施例の構成と図面符号が同一であるからと言って必ずしも同じ構成を意味するものではない。
【０１５０】
ガイド板１３０は、後述するボタン部１９０が位置する空間を確保するために、一側が切断された円形の板状を有することができ、この場合、第１実施例で言及した突起が省略されることができる。ただし、ガイド板１３０の上部に形成される排出口１３１と排出路１３２などは、第１実施例と同一であり得る。
【０１５１】
吐出板１５０は、ガイド板１３０と同様に、一側が切断した円形の板状を有し、結合口１５２が省略される。ただし、ガイド板１３０と吐出板１５０はいずれも一側が切断された円形の板状を有するので、第１実施例に含まれる突起や結合口を具備しなくとも円滑に整列が可能である。
【０１５２】
縁部１６０は、ガイド板１３０の上部及び容器本体１１０に結合される。本実施例では、ボタン部１９０を利用してポンプ１２０を可動させることができるので、本実施例の縁部１６０は、第１実施例の縁部１６０とは異なり、一体型である一つの胴体で構成されることができ、容器本体１１０に堅固に固定されて昇降ができないことがあり得る。
【０１５３】
縁部１６０には、後述するボタン部１９０の一側が外部へ露出するようにした貫通口１６３が形成されることができる。後ほど説明するが、ボタン部１９０は突起部１９３がユーザーによる押圧によってポンプ２０を作動させるので、突起部９３はユーザーの加圧を許容するために外部へ露出することが好ましい。したがって、縁部１６０は貫通口１６３を具備してユーザーが容易にボタン部１９０を使用できるようにすることができる。
【０１５４】
ボタン部１９０は、ポンプ１２０の上部に具備されて、加圧によってポンプ１２０を作動させる。ボタン部１９０は、縁部１６０の貫通口１６３を介して露出した部分がユーザーによって加圧されると、ポンプ１２０の昇降部材１２３を下降させてポンプ１２０に収容されていた化粧品が外部へ排出されるようにすることができ、補助ボタン１９１とメインボタン１９２を含んで構成されることができる。
【０１５５】
補助ボタン１９１は、一端が昇降部材１２３の上面に安着されて、他端が下向き傾くように形成されて容器本体１１０に安着（具体的には上部本体１１１に安着）されて、後述するメインボタン１９２に弾性力を提供する。
【０１５６】
メインボタン１９２は、補助ボタン１９１の上部に安着されて、一端に突起部１９３が形成され、一部分が昇降部材１２３の上面に安着される。この際、昇降部材１２３の上面で補助ボタン１９１の一端が安着される部分とメインボタン１９２の一部分が安着される部分とは、互いに正反対に位置することができる。これは、メインボタン１９２と補助ボタン１９１とによって昇降部材１２３が下降する時、昇降部材１２３が傾かないで安定に下降することを具現するためである。
【０１５７】
メインボタン１９２の突起部１９３は、縁部１６０の貫通口１６３へ露出してユーザーによって加圧されることができる。ユーザーが突起部１９３を押すと、メインボタン１９２で昇降部材１２３の上面に位置する部分が下降することになり、メインボタン１９２によって加圧される補助ボタン１９１で昇降部材１２３の上面に位置する一端が下降することになる。したがって、メインボタン１９２と補助ボタン１９１とによって昇降部材１２３が下降しながら化粧品が吐出板１５０へ排出されることができる。
【０１５８】
もちろん、本実施例では、上記のようなボタン部１９０の代わりに容器本体１１０の側面に突き出されてユーザーによって加圧されると、ポンプ１２０を作動させるボタン部（図示せず）を具備することができる。それ以外にも本実施例では、ポンプ１２０を作動させる多様な構造を採用することができ、一例としてねじ回転方式を利用してポンプ１２０を作動させるような構成を含むこともできる。
【０１５９】
このように本実施例は、第１実施例とは異なり、縁部１６０が直接下降せずに、ボタン部１９０を利用して吐出板１５０に化粧品が吐出されるようにして、第１実施例でユーザーがパフなどで吐出板１５０を押すことで化粧品が吐出されるようにする場合、パフによって吐出口１５１が塞がれて化粧品の吐出が円滑に行われないという点を補って、化粧品の排出がより簡便に行われるようにしてユーザーの満足度を極大化することができる。
【０１６０】
図９は、本発明の第３実施例による化粧品容器のガイド板の平面図で、図１０は、本発明の第３実施例による化粧品容器の網部材の平面図である。
【０１６１】
図９及び図１０を参照すれば、本発明の第３実施例による化粧品容器は、前に説明した実施例と対比すると、ガイド板１３０の排出路１３２と網部材１４０とのメッシュ部分１４１が異なっている。
【０１６２】
以下では、本実施例での構成の中で第１実施例及び第２実施例と異なっている部分を重点的に説明する。ただし、本実施例の構成が第１実施例及び第２実施例の構成と図面符号が同一であるからと言って必ずしも同じ構成を意味するものではない。
【０１６３】
ガイド板１３０は、ポンプ１２０の上部に結合されてポンプ１２０によって排出される化粧品をガイドする。ガイド板１３０は、第１実施例で説明したように、排出口１３１、排出路１３２、縁路１３３を具備するが、排出路１３２がガイド板１３０の中心である排出口１３１から遠ざかるにしたがって縮小または拡張されるような形態を有する。
【０１６４】
ポンプ１２０から化粧品が吐出される時、化粧品は排出口１３１を経って排出路１３２に沿って移動した後、吐出板１５０の吐出口１５１を介して外部へ排出されるが、吐出板１５０の中心より遠く位置した吐出口１５１から化粧品が吐出されるためには、排出口１３１から排出路１３２の一地点（中心より遠く位置した吐出口１５１に連通される地点）まで化粧品が充分に満たされなければならないことで、中心より遠く位置した吐出口１５１での化粧品の吐出量が足りなくなることがあり得る。
【０１６５】
したがって、本実施例では、排出路１３２が排出口１３１から遠ざかるにしたがって縮小されるような形態を有するようにすることで、排出路１３２での化粧品の残留量を最少化し、吐出板１５０の吐出口１５１が吐出板１５０の中心から遠く位置していても充分な量の化粧品が吐出されるようにすることができる。
【０１６６】
網部材１４０は、ポンプ１２０から化粧品が排出される一側に具備されて、少なくとも一部分がメッシュ形態で形成される。すなわち、化粧品は網部材１４０からメッシュ部分１４１を経って外部へ吐出されるので、本実施例は、粘度の低い化粧品を使用する時にポンプ１２０から吐出される化粧品が跳ね上がることを防止することができる。
【０１６７】
メッシュ部分１４１は、排出路１３２に対応する形態を有する。すなわち、メッシュ部分１４１は、排出路に対応するように放射状に形成されて、中心から遠ざかるにしたがって縮小または拡張（好ましくは縮小）される形態であり得る。これは、メッシュ部分１４１が充分に排出路１３２をカバーして底粘度化粧品の跳ね上がりを防止するためのものである。
【０１６８】
このように本実施例では、ガイド板１３０の排出路１３２が排出口１３１から遠ざかるにしたがって縮小されるような形態を有するようにして、吐出板１５０に形成されたすべての吐出口１５１から充分な量の化粧品が吐出されるようにすることで、ユーザーの満足度を高めることができる。
【０１６９】
図１１は、本発明の第４実施例による化粧品容器の斜視図、図１２は、本発明の第４実施例による化粧品容器の断面図、図１３は、本発明の第４実施例による化粧品容器のロッキング部の斜視図である。
【０１７０】
図１１ないし図１３を参照すれば、本発明の第４実施例による化粧品容器１１は、ロッキング部１１００をさらに含む。以下では本実施例での構成の中で第１ないし第３実施例と異なっている部分を重点的に説明する。ただし、本実施例の構成が第１ないし第３実施例の構成と図面符号が同一であるからと言って必ずしも同じ構成を意味するものではない。
【０１７１】
ロッキング部１１００は、ポンプ１２０の化粧品の排出を制限する。ロッキング部１１００は、一部分が外側カバー１７０の外面に突き出されて、ユーザーによって必要時に加圧されることでポンプ１２０の作動を制限することができる。
【０１７２】
本実施例がロッキング部１１００を含むのは、ユーザーが吐出板１５０を加圧しながら化粧品がポンプ１２０から吐出板１５０の上面に吐出されるようにした後、パフを利用して吐出板１５０上で化粧品を均等にならす作業を遂行すると、ユーザーがパフで化粧品を擦る過程で吐出板１５０の加圧が行われて、ユーザーが意図しない化粧品の排出が発生し得るからである。
【０１７３】
したがって、本実施例では、ロッキング部１１００を具備することで、ユーザーが使おうとする量だけの化粧品を吐出板１５０の上面に吐出させた後、ロッキング部１１００を押して化粧品の吐出を制限するようにして、ユーザーにとってパフを利用して便利に吐出板１５０に吐出された化粧品を取って使用できるようにする。
【０１７４】
このためにロッキング部１１００は、ユーザーが把持する外側カバー１７０に形成されることが好ましく、少なくとも一つ以上に具備されていずれか一つのロッキング部１１００を作動させても円滑にポンプ１２０の排出が制限されるようにすることができる。一例として、ロッキング部１１００は、外側カバー１７０と蓋１８０とのヒンジ結合部分の左右にそれぞれ具備されることができる。
【０１７５】
ロッキング部１１００は、弾性片１１０１、突起部１１０２、ロッキング突起１１０３を含む。弾性片１１０１は、ロッキング部１１００の少なくとも一側（好ましくは両側）に一定の長さで突き出されるように具備されて、弾性力を有する。弾性片１１０１の弾性力は、突起部１１０２に適用されて外力がない時、突起部１１０２が容器本体１１０の外側に突き出されるようにすることができる。
【０１７６】
弾性片１１０１の一端は、後述する突起部１１０２に連結されて、他端は容器本体１１０の外面に密着されることができる。この際、突起部１１０２がユーザーによって内側へ押されると、弾性片１１０１の他端は、容器本体１１０の外面に沿って滑りながら突起部１１０２の引き入れを許容する。
【０１７７】
突起部１１０２は、外側カバー１７０の外部へ露出して、ユーザーによって加圧される。このために外側カバー１７０には突起部１１０２の形状に対応する貫通口（図示せず）が形成されることができる。
【０１７８】
突起部１１０２は、ユーザーが便利に押すことができるようにすると同時に、美観を向上させるために曲面形状を有することができ、外面に摩擦面が形成されてユーザーの便宜性を高めることができる。
【０１７９】
突起部１１０２は、ポンプ１２０の中心を基準に外側方向へ弾性片１１０１によって弾性力を受けて、ユーザーによって押されると、ポンプ１２０の中心方向に移動する。この際、ロッキング部１１００はロッキング突起１１０３が突起部１１０２とともに動くことによってロッキングが行われるようにすることができる。
【０１８０】
ロッキング突起１１０３は、突起部１１０２に具備されて吐出板１５０の下降を制限する。具体的には、ロッキング突起１１０３は突起部１１０２がユーザーによって加圧されると、ポンプ１２０の中心を基準に外側から内側へ移動することができ、内側へ移動したロッキング突起１１０３は、吐出板１５０の下降を制限する。
【０１８１】
この際、ロッキング突起１１０３の上面は、縁部１６０の中で下降されることができる構成である内側縁部１６１の下端に密着されることで、内側縁部１６１の下降を制限し、これによって吐出板１５０の下降を制限してポンプ１２０の化粧品排出を制限することができる。
【０１８２】
もちろん、本実施例は、前述の第２実施例で説明したボタン部１９０を組み合わせて使用することができ、この際、ロッキング部１１００はボタン部１９０の下降を制限してポンプ１２０の稼動が行われないようにすることができる。この際、ロッキング部１１００のロッキング突起１１０３は、突起部１１０２の引き入れによってボタン部１９０の下面に密着されることで、ボタン部１９０の作動を制限することができる。
【０１８３】
このように本実施例では、吐出板１５０に化粧品が吐出された後、ユーザーがロッキング部１１００によりポンプ１２０の稼動を簡便に制限できるようにして、ユーザーが吐出板１５０に排出された化粧品をパフで押しながら均等にならす作業をしても化粧品の排出が行われないようにすることで、化粧品の無駄使いを防止してユーザーの満足度を大幅に高めることができる。
【０１８４】
以下では、具体的な実験資料を利用して、本発明に対する化粧品容器１１の冷却効果を立証及び説明する。
【０１８５】
図１４は、本発明による化粧品容器の冷却効果に対するユーザーの満足度を示すグラフ、図１５は、本発明による化粧品容器の温度変化を示すグラフである。
【０１８６】
下記の表１は、本発明による化粧品容器１１と従来の化粧品容器とを特定温度に放置した後、１分後に使用した時のユーザーの満足度を調査したものであり、５点尺度で、５０人のユーザーによって調査された満足度を平均したものである。表１の数値をグラフ化して図１４で示した。
【０１８７】
【表１】
2018011966.tif 000003
【０１８８】
表１と図１４とを参照すれば、本発明による化粧品容器１１は、ポンプ１２０（具体的にはエアレスポンプ）または含浸スポンジで構成される排出手段１２０と吐出板１５０とを含むので、排出手段１２０の種類に応じて実施例が二通りに区分されることができる。また、従来の化粧品容器は、化粧品をエアレスポンプで排出する場合と、含浸スポンジで排出する場合とに分けられることができる。
【０１８９】
本発明による化粧品容器１１の中で、エアレスポンプ１２０と金属吐出板１５０とで構成される実施例の場合、各温度で保管された後使用した時のユーザー満足度が本発明の他の実施例または従来の化粧品容器よりも優れるように示されたことが分かる。
【０１９０】
また、本発明による化粧品容器１１の中で、含浸スポンジと金属吐出板１５０とで構成される実施例の場合、各温度で保管された後、使用した時のユーザー満足度が従来の化粧品容器よりも優れるように示された。
【０１９１】
このように本発明による化粧品容器１１の冷感効果に対するユーザー満足度が従来の化粧品容器よりも高く示されたのは、金属材質の吐出板１５０によってエアレスポンプ１２０または含浸スポンジから吐出された化粧品が効果的に冷却されるからである。反面、エアレスポンプまたは含浸スポンジのみで構成される従来の化粧品容器は、化粧品を冷却する効果を全く導き出すことができないため、ユーザー満足度が低く算出された。
【０１９２】
本発明による化粧品容器１１の冷却効果は、下記表２及び図１５を通じて具体的に立証されることができる。
【０１９３】
【表２】
2018011966.tif 000004
【０１９４】
表２は、本発明による化粧品容器１１と従来の化粧品容器とを特定温度（５０℃）で一定の時間保管（温度が一定に維持される恒温器にそれぞれの化粧品容器を入れて、恒温器の温度が容器に完全に伝達されるまで保管し、本実験では４時間保管した。）した後、常温（２０℃）で放置した後、１分後に容器の表面（ユーザーがパフを利用して化粧品を塗る表面を意味し、本発明による化粧品容器１１の場合、吐出板１５０の上面を意味し、エアレスポンプを具備する従来の化粧品容器の場合エアレスポンプの排出口部分を意味し、含浸スポンジを具備する従来の化粧品容器の場合、含浸スポンジの上面を意味する。）の温度を時間別に測定して示したものである。各実施例別に３個ずつ測定して平均値を示しており、表２の数値をグラフ化して図１５で示した。
【０１９５】
表２及び図１５を参照すれば、本発明による化粧品容器１１の中でエアレスポンプ１２０を排出手段１２０とする実施例の場合、常温放置後１分経過した時点から１５秒間隔でよく調べて見ると、表面の温度低下が急激に現われて、６０秒が経過すると表面が２７．５℃まで冷却されることを確認することができる。
【０１９６】
また、本発明による化粧品容器１１の中で含浸スポンジを排出手段１２０とする実施例の場合、表面の温度低下が充分に起きることを確認することができ、６０秒経過のとき表面が３１．１℃まで冷却される。
【０１９７】
ところで、従来の化粧品容器は、５０℃まで保管された後に常温に露出された時、急激な温度の低下を具現することができる構成を含んでいないため、エアレスポンプを有する従来の化粧品容器は、６０秒経過後に３５℃以上に維持され、また含浸スポンジを有する従来の化粧品容器は６０秒経過後に約４０℃まで温度が維持される。
【０１９８】
すなわち、上記のような実験資料をよく調べて見ると、本発明による化粧品容器１１は、金属材質で構成される吐出板１５０で、５０℃まで加熱されてから２０℃の常温に露出された時に急激に温度の低下が起きるようにすることで、化粧品が吐出板１５０の上面に吐出された場合、化粧品に冷感効果を与えることができる。
【０１９９】
したがって、本発明の化粧品容器１１が有する冷感効果は、このような温度測定の結果を通じてはっきりと現われるものであり、従来の化粧品容器に対比すると著しいものであることが分かり、これによって本発明はユーザー満足度を大幅に向上させることができるものである。
【０２００】
ただし、本発明による化粧品容器１１は、排出手段１２０として含浸スポンジを使用する場合よりもエアレスポンプ１２０を使用する場合に温度の低下効果が高く現われるが、これはエアレスポンプ１２０の場合、吐出板１５０との接触面積が小さいか、またはほとんどなく、５０℃で保管されると化粧品に吸収された熱が吐出板１５０へ伝達されないからである。
【０２０１】
このように本発明による化粧品容器１１は、吐出板１５０を金属材質で構成するによって吐出板１５０の上面で急激な冷却が行われるようにして、化粧品が吐出される時に化粧品に内包された熱が外部に放出されるようにすることで、クーリング感に対するユーザーの満足度を極大化することができる。
【０２０２】
以下では具体的な実験資料を利用し、本発明に対する化粧品容器１１の抗菌効果を立証及び説明する。
【０２０３】
図１６は、本発明による化粧品容器の細菌繁殖度を示すグラフ、図１７は、従来の含浸スポンジに対する汚染度を示す図、表３は、本発明による化粧品容器及び従来の化粧品容器の細菌繁殖数値を示す表である。表３の数値をグラフ化して図１６で示した。
【０２０４】
図１６及び表３での実験の場合、防腐剤が添加されていない化粧品を利用しており、本発明による化粧品容器１１で排出手段１２０がエアレスポンプ１２０である場合と、含浸スポンジである場合に分けて実験し、含浸スポンジを有する従来の化粧品容器を対照グループに置いて実験を進行した。また、４週間の間ユーザーがパフを利用して化粧品容器の化粧品を取って塗るようにした。
【０２０５】
また、図１７での実験の場合、肌に紫外線遮断剤（ＵＶランプで蛍光色を帯びるジソジウムフェニルベンズイミダゾールスルホン酸を含む製品）を塗って、一般的な使い方で含浸スポンジに付着している化粧品を１週間ないし２週間の間使用することによって紫外線遮断剤が含浸スポンジに残留するかどうかについてＵＶランプで確認した。
【０２０６】
【表３】
2018011966.tif 000005
【０２０７】
本発明による化粧品容器１１は、金属の吐出板１５０を含んでいるため、ユーザーがパフを利用して吐出板１５０に吐出された化粧品を取って塗っても、パフに付着したユーザー肌の角質などは、吐出板１５０の吐出口１５１の外には排出手段１２０に引き入れられることができない。
【０２０８】
したがって、表３及び図１６に示されたように、本発明による化粧品容器１１は、吐出板１５０を具備しない従来の化粧品容器に比べて、細菌の増殖が相対的に非常に少なく起きるか、または全く起きないことを確認することができる。
【０２０９】
本発明の化粧品容器１１は、吐出板１５０の吐出口１５１の直径を充分に小さく形成（１ｍｍ以内）するため、構造的には吐出口１５１を介して排出手段１２０が外部と連通されるとしても、実質的に角質などのような栄養分が細菌に非常に供給され難い。
【０２１０】
また、本発明の化粧品容器１１がエアレスポンプ１２０を使用する場合には、吐出口１５１がエアレスポンプ１２０の出口と行き違うように配置されることができるので、栄養分の供給を完全に遮断することができる。したがって、本発明の化粧品容器１１がエアレスポンプ１２０を使用する場合には、細菌の繁殖が全く起きないことを確認した。
【０２１１】
一方、含浸スポンジを利用する従来の化粧品容器は、含浸スポンジの上面全体が外部に露出しており、パフが含浸スポンジに直接接触する方式なので、パフに付着した角質などが含浸スポンジの細菌に持続的に供給される。したがって、パフを利用して化粧品を含浸スポンジから排出させることによって細菌は急激に増殖することが分かる。
【０２１２】
特に、図１７を参照すれば、ユーザーがパフを利用して含浸スポンジに含浸された化粧品を使用するほど、ユーザーの肌に付着した紫外線遮断剤が含浸スポンジに移ったことを明確に確認することができる。
【０２１３】
これは、結局ユーザーの肌角質も同様に含浸スポンジに付着するようになることを意味し、これによって従来の化粧品容器では細菌の繁殖が起き続けることが分かる。
【０２１４】
一方、本発明による化粧品容器１１は、吐出板１５０を利用してパフが直接排出手段１２０に接触することを効果的に遮断することができる。特に、本発明の化粧品容器１１がエアレスポンプ１２０を使用する場合には、ユーザーがパフを利用して化粧品を使用し続けてもエアレスポンプ１２０の内部に収容された化粧品に角質などが流入されることが構造的に全く不可能である。
【０２１５】
このように本発明による化粧品容器１１は、小径の吐出口１５１を有する吐出板１５０を具備することで、パフが排出手段１２０の出口に直接接触しないようにし、ユーザーがパフを利用して化粧する時、化粧品に残留した細菌にパフを介して栄養分が供給されることを防止することができ、これによって化粧品の汚染を完璧に遮断することができる。
【０２１６】
下記表４は、本発明による化粧品容器の細菌生存数値を示す表である。本実験は、細菌類（大膓菌、化膿菌、緑膿菌）あるいは真菌類（Ａｓｐｅｒｇｉｌｌｕｓ  ｎｉｇｅｒ、Ｃａｎｄｉｄａ  ａｌｂｉｃａｎｓ）を本発明による化粧品容器１１の排出手段１２０内の化粧品（防腐剤未添加）に接種し、日ごとに生菌の数を測定するような方式で行われた。
【０２１７】
この際、細菌数は、１ｇの化粧品を採取して中和液に１０倍希釈した後、ＳＤＣ培地に塗抹し、３７℃の恒温槽に２４時間以上培養してコロニー数（菌数）を観察して示し、真菌数は１ｇの化粧品を採取して中和液に１０倍希釈した後、ＳＤＡ培地に塗抹して３０℃の恒温槽に２４時間以上培養してコロニー数（菌数）を観察した。
【０２１８】
【表４】
2018011966.tif 000006
【０２１９】
本発明による化粧品容器１１は、排出手段１２０としてエアレスポンプ１２０または含浸スポンジを有することができる。ところで、エアレスポンプ１２０の場合、空気の侵入を防止することができるような構造である反面、含浸スポンジの場合、空気の侵入がある程度許容されることができる。
【０２２０】
表４を参照すれば、本発明による化粧品容器１１の排出手段１２０がエアレスポンプ１２０の場合、細菌類及び真菌類いずれも二日目に２０未満に急激に減少したことを確認することができる。これは、エアレスポンプ１２０の場合、内部に収容された化粧品に空気などの流入が遮断されることによって細菌に生存のための栄養分が全く供給されなかったからである。
【０２２１】
一方、本発明による化粧品容器１１の排出手段１２０が含浸スポンジである場合、細菌類及び真菌類いずれもエアレスポンプ１２０を使用する場合に比べて生菌の数が相対的に多いことを確認することができる。
【０２２２】
すなわち、上記の実験結果を考慮すると、本発明による化粧品容器１１は、排出手段１２０として含浸スポンジの代りにエアレスポンプ１２０を利用することで、細菌の生存を最小限に減らして化粧品の汚染を革新的に防止することができる。
【０２２３】
以下では具体的な実験資料を利用して、本発明に対する化粧品容器１１の耐久性及び衛生性について説明する。
【０２２４】
図１８は、本発明による化粧品容器の吐出板材質による摩耗を示す図面である。
【０２２５】
図１８に示された実験に使用された本発明による化粧品容器１１の吐出板１５０の材質は、ＳＵＳ３０４ステンレス金属材質であり、対照グループとして使用された吐出板１５０の材質は一般的なプラスチックである。
【０２２６】
図１８に示されたように、パフを利用して化粧品が吐出される吐出板１５０の上面を２０回ほど擦った場合、金属材質である吐出板１５０にはスクラッチが全く現われないことを確認することができる。しかし、プラスチック材質の場合には、２０回だけの使用でも多くのスクラッチが発生したことを明確に確認することができる。
【０２２７】
すなわち、本発明による化粧品容器１１は、プラスチックではない金属材質の吐出板１５０を利用することで、化粧品がパフによって吐出板１５０の上面で擦られる時に吐出板１５０が摩耗することを効果的に防止することができる。
【０２２８】
また、本発明は、スクラッチの発生を抑制するので、スクラッチに化粧品が残留することによって美観を害して汚染を加速化する従来の化粧品容器１１に比べて、耐久性とともに衛生性を確保することができる。
【０２２９】
この際、本発明の化粧品容器１１に使用される化粧品は、炭酸カルシウム（ＣａＣｏ３）、酸化チタン（ＴｉＯ２）、タルク（Ｔａｌｃ）、天然鉱物または金属化合物などのような固形微粒子である無機顔料（Ｉｎｏｒｇａｎｉｃ  Ｐｉｇｍｅｎｔ）を含むことができるが、化粧品が強い硬度を有する無機顔料を含むことによって吐出板１５０の上面でパフによって化粧品が使用される時、吐出板１５０の摩耗が憂慮され得る。
【０２３０】
したがって、本発明の化粧品容器１１の吐出板１５０は、ビッカース硬さ値（Ｖｉｃｋｅｒｓ  Ｈａｒｄｎｅｓｓ）が１２０ＨＶ値ないし２００ＨＶ値でありえる。この際、ビッカース硬さ値は、ＡＳＴＭ  Ｅ９２でテストした数値であり、ダイヤモンドで測定対象を押した時に入っていく面積を数値化したものである。
【０２３１】
したがって、本発明は、吐出板１５０のビッカース硬さ値が１２０ＨＶ値以上になるようにすることで、強い硬度の無機顔料が含まれた化粧品を使用しても、パフによる摩擦が発生すると吐出板１５０に傷や摩耗が発生することを効果的に防止することができる。
【０２３２】
また、本発明は、吐出板１５０のビッカース硬さ値が２００ＨＶ以下になるようにして吐出板１５０の製造コストを最適化し、加工及び成形（吐出口１５１形成のためのエッチング作業など）を容易に行うようにすることができる。
【０２３３】
また、本発明は吐出板１５０の上面が外部へ露出されるようにし、吐出板１５０の上面に吐出された化粧品をユーザーがパフで取って塗るようにすることで、パフで化粧品を取って塗るようにする面が排出手段１２０と離隔されるようにし、パフが触れる面をいつでも拭き上げて衛生を清潔に維持することができるという長所がある。
【０２３４】
下記表５に示されたように、排出手段１２０がエアレスポンプ１２０、または含浸スポンジである本発明の化粧品容器１１と、エアレスポンプのみで構成されるか、または含浸スポンジのみで構成される従来の化粧品容器に対し、５０人のユーザーが使用する過程で感じる衛生性を５点満点で評価した結果、衛生的な側面から本発明の化粧品容器１１が従来の化粧品容器に比べて非常に良い評価を受けたことを確認することができる。
【０２３５】
特に、含浸スポンジのみで構成された従来の化粧品容器に比べた場合、本発明は、吐出板１５０を具備することで、衛生性を極大化することができることが分かる。
【０２３６】
【表５】
2018011966.tif 000007
【０２３７】
したがって、本発明は、排出手段１２０から吐出された化粧品が吐出板１５０の上面に安着されるようにして、外部へ露出した吐出板１５０の上面に付着した化粧品を拭き上げるようにし、従来の化粧品容器に比べて衛生性を高めてユーザーの肌にトラブルが生ずることを防止することができる。
【０２３８】
このように本発明は、クーリングに対するユーザー満足度及び表面温度変化の実験資料などによって冷感効果に優れていることが分かり、細菌の生存数値と細菌の繁殖数値などについての実験資料を通じて抗菌性を確保していることが分かり、スクラッチ発生の可否に対する実験資料と衛生性に対するユーザー満足度を通じて耐久性とともに衛生性を有することが分かる。したがって、本発明は、上記のような長所等によってユーザーの全体的な満足度を極大化するような効果を有する。
【０２３９】
本発明は、上記のような金属材質に取り替えて非金属材質からなる吐出板１５０を有する第５実施例を含むことができる。この際、吐出板１５０は、プラスチック、木、ＭＤＦ、非金属鉱物、紙、シリコン、セラミックス、ゴム、ガラスを含むグループより選択される少なくとも一つ以上の材質からなることができる。
【０２４０】
また、吐出板１５０は、ポリウレタン、ポリエチレン、ポリエステル、ポリエーテル、ポリプロピレン、ポリスチレン、ＡＢＳ、ＳＡＮ、アクリル、ポリアミド、ポリカーボネート、ポリエチレンテレフタレート、ナイロンを含むグループより選択される少なくとも一つ以上の材質からなることができる。
【０２４１】
この場合、非金属材質の吐出板１５０は、非導電性材質からなるとみることができ、非導電性材質からなる吐出板１５０は、ユーザーが吐出板１５０の上面に露出した化粧品を塗るためにパフを吐出板１５０に擦る場合、パフと吐出板１５０との間の摩擦によって静電気などが発生することを防止することができる。
【０２４２】
すなわち、吐出板１５０は、非導電性材質からなることによって、排出された化粧品を塗るためのパフとの摩擦時に静電気の発生を抑制することができる。ただし、吐出板１５０は非金属材質からなるが、化粧品に含まれる固形微粒子である無機顔料よりも強い硬度を有する材質からなることができる。この場合には、たとえ吐出板１５０がプラスチック材質で構成されても、上記の図１８で現われるスクラッチが発生しないことがありえる。
【０２４３】
図１９及び図２０は、本発明の第６実施例による化粧品容器の吐出板の断面図である。
【０２４４】
図１９及び図２０を参照すれば、本発明の第６実施例による化粧品容器１１の吐出板１５０は、少なくとも一面の少なくとも一部分に繊維材質１５３が具備されることができる。
【０２４５】
繊維材質１５３は、吐出板１５０の上面、下面、及び側面などに具備されることができ、一例として上面で中央部分を含む少なくとも一部分に具備されることができる。この際、吐出板１５０は金属材質やまたは非金属材質でありえるし、本実施例で吐出板１５０の材質は特に限定されない。
【０２４６】
繊維材質１５３は、吐出板１５０の一面に超音波溶着、熱圧着、または接着剤を使用する接合方式で具備されるか、吐出板１５０の一面を取り囲んで覆われる方式で具備されることができ、または、繊維材質１５３は吐出板１５０の上面に安着された後、繊維材質１５３と吐出板１５０との縁を一緒に加圧及び固定する別途のフレーム（図示せず）によって吐出板１５０に結合されることができる。
【０２４７】
この場合、吐出板１５０の面積に対応する繊維材質１５３を準備した後、接着方式または覆う方式などで繊維材質１５３を吐出板１５０に結合することができるが、製造上におけるコストを低減して均一な塗布が可能であるという長所がある。もちろん本実施例では、繊維材質１５３が吐出板１５０に具備される方式を上記に限定するものではない。
【０２４８】
吐出板１５０に具備される繊維材質１５３は、天然繊維、人造繊維、金属繊維、ガラス繊維を含むグループより選択される少なくとも一つ以上の材質からなることができる。
【０２４９】
このように本実施例では、吐出板１５０から化粧品が吐出される一面（具体的には上面）に繊維材質１５３を具備することによって、ユーザーがパフを利用して吐出板１５０の上面を擦る時に柔らかい触感が感じられるようにすることができる。
【０２５０】
したがって、ユーザーは繊維材質１５３とパフとが互いに擦られることによって発生する柔らかい感じを得ながら化粧をすることができるため、楽さと安定感を得ることができる。
【０２５１】
繊維材質１５３を構成することができる天然繊維は、長芋、絹、または綿を含み、繊維材質１５３を構成することができる人造繊維は、繊維レーヨン、エセテイト、ナイロン、ポリエステル、ポリエステル、アクリル、ウレタン、ビスコース、またはテンシルを含み、繊維材質１５３を構成することができる金属繊維は、金糸、銀糸、または針金を含むことができる。
【０２５２】
また、繊維材質１５３は、フロック加工によって形成されることができる。フロックは、個別繊維１５３１を接着剤が塗布された吐出板１５０の上面に静電気原理によって植える加工方式である。この際、個別繊維１５３１の色相や配列は多様に形成されることができる。
【０２５３】
特に個別繊維１５３１は、吐出板１５０に付着した一端から終端にいくにしたがって一方向に傾斜するように形成されることができる。すなわち、繊維材質１５３を構成する個別繊維１５３１すべては、図１９に示されたように並ぶ方向に傾斜するように具備されることができる。
【０２５４】
また、個別繊維１５３１は、図２０に示されたように吐出板１５０に付着した一端から終端にいくにしたがって吐出板１５０の中心から遠ざかる方向に傾斜するように形成されることができる。すなわち、個別繊維１５３１の傾斜方向は、放射状に形成されることができ、反対に個別繊維１５３１は、吐出板１５０の中心に近づく方向に傾斜するように形成されることもできる。
【０２５５】
この際、繊維材質１５３を構成する個別繊維１５３１の間の空間に化粧品が不要に残留することを防止するために、繊維材質１５３は、吐出板１５０の厚さより相対的に低い高さで具備されることができる。
【０２５６】
このように本実施例では、フロック加工などを通じて繊維材質１５３を吐出板１５０の上面に形成することで、ユーザーがパフを利用して化粧品を塗る時に柔らかい触感を得ることができるようにしてユーザーの満足度を大幅に向上させることができる。
【０２５７】
図２１及び図２２は、本発明の第７実施例による化粧品容器の吐出板の断面図である。
【０２５８】
図２１及び図２２を参照すれば、本発明の第７実施例による化粧品容器１１の吐出板１５０は、少なくとも一面の少なくとも一部分に薄膜１５４が具備されることができる。
【０２５９】
薄膜１５４は、吐出板１５０の上面、下面、または側面などに具備されることができ、一例として上面で中央部分を含む少なくとも一部分に具備されることができる。ただし、薄膜１５４が具備される一面は、吐出口１５１を介して化粧品が排出される一面であり得る。
【０２６０】
この際、吐出板１５０は、前述した第６実施例で説明したように金属材質または非金属材質からなることができる。すなわち、吐出板１５０の材質は、本実施例で特に限定されない。
【０２６１】
薄膜１５４は、金属材質の薄膜であり得る。すなわち、薄膜１５４は金属箔でありえるし、この際、薄膜１５４の材質は金、銀、銅、あかがね、クロム、ホログラムなど、多様な材質が選択されることができる。
【０２６２】
薄膜１５４は、吐出板１５０の一面に接着されるステッカー膜でありえる。この際、ステッカー膜は、図２２に示されたように吐出板１５０の一面に複数の層で積層されて、層ごとに除去可能に具備されることができる。
【０２６３】
これは、薄膜１５４がパフとの摩擦によって損傷された時、損傷された薄膜１５４をユーザーが手軽く除去できるようにするためである。すなわち、複数の層で薄膜１５４が積層されると、ユーザーは使用期間に応じて薄膜１５４を一つずつ除去することで、外観が新しく変化されるようにすることができる。
【０２６４】
この場合、積層される薄膜１５４は互いに異なる色相や柄などを有することができる。すなわち、ユーザーが薄膜１５４を除去する度に吐出板１５０の上面の様子が可変され得る。
【０２６５】
また、薄膜１５４が複数の層で積層される場合、薄膜１５４には層の数を示した識別因子が図示されていることがあり得る。この際、識別因子は、数字などの文字の場合もあり、または明度や彩度などが順次に増減される色相などである場合もある。
【０２６６】
薄膜１５４は、吐出板１５０の厚さより相対的に薄い厚さを有するように形成されることができる。これは、薄膜１５４が除去可能に具備される場合、薄膜１５４の厚さが厚い場合に薄膜１５４の除去時にユーザーが異質感を感じるようになって不便さをもたらすことがあるからである。
【０２６７】
薄膜１５４は、一例として１ないし５０ミクロメーターの厚さを有することができ、具体的には１０ミクロメーター以下の厚さを有することができる。もちろん、薄膜１５４の厚さは吐出板１５０の厚さに比べて充分に薄い厚さを有すれば十分で、数値的に限定されない。
【０２６８】
本発明は、吐出板１５０で少なくとも一面の少なくとも一部分に塗料が塗布されてコーティングされる第８実施例をさらに含むことができる。この際、コーティングは吐出板１５０の上面、下面、または側面などに形成されることができ、一例として上面で中央部分を含む少なくとも一部分に形成されることができる。
【０２６９】
ただし、コーティングが形成される一面は、吐出口１５１を介して化粧品が排出される一面であり得る。この際、吐出板１５０の材質は金属または非金属材質であり得る。
【０２７０】
塗料は、ソルベントを含み、セラミックス、金属、プラスチック、ガラス、紙、ゴム、シリコンを含むグループより選択される少なくとも一つ以上を吐出板１５０にコーティングするための残留成分としてさらに含むことができる。
【０２７１】
本実施例では、ソルベントを含む塗料が吐出板１５０に噴射されて乾燥することによってソルベントが除去され、塗料に含まれた残留成分であるセラミックスなどが吐出板の一面にコーティングされるようにすることができる。
【０２７２】
具体的には、本実施例は、吐出板１５０の上面に対する洗浄工程を経った後、塗料噴射、乾燥、ＵＶ塗装、ＵＶ硬化などの過程を経ることで、塗料に含まれるセラミックスなどの成分を吐出板１５０の上面にコーティングすることができる。
【０２７３】
この際、塗料は吐出板１５０の一面が無光コーティング、有光コーティング、パールコーティング、メタルコーティング、ホログラムコーティングを含むグループより選択される少なくとも一つ以上でコーティングされるようにすることができ、または吐出板１５０の一面がラバーコーティング、エンボシングコティング、感光コーティング、感温コーティング、蓄光コーティングを含むグループより選択される少なくとも一つ以上でコーティングされるようにすることができる。
【０２７４】
このように本実施例では、塗料噴射及び乾燥工程を通じて吐出板１５０の上面にセラミックスなどのコーティングが行われるようにして、外観の美麗さを向上させて吐出板１５０の上面に多様な色相や柄を付与することができる。
【０２７５】
また、本実施例では、セラミックスコーティングを通じて耐酸化性、内薬品性、耐摩耗性を高めて化粧品の汚染防止及び肌安全性を確保することができ、パフとの摩擦が数回反復的に行われてもコーティングが剥離されてはげることを防止することができる。
【０２７６】
図２３は、本発明の第９実施例による化粧品容器の吐出板の断面図である。
【０２７７】
図２３を参照すれば、本発明の第９実施例による化粧品容器１１の吐出板１５０は、金属または非金属材質などからなることができ、少なくとも一面の少なくとも一部分に蒸着またはメッキによる外板または外面１５５が具備されることができる。
【０２７８】
外面１５５は、吐出板１５０の上面、下面、または側面などに具備されることができ、一例として上面で中央部分を含む少なくとも一部分に具備されることができる。ただし、外面１５５が具備される一面は、吐出口１５１を介して化粧品が排出される一面であり得る。
【０２７９】
この際、外面１５５は、金、銀、銅、ニッケル、鉄、クロム、アルミニウム、銅、亜鉛、スズを含むグループより選択される少なくとも一つ以上の材質でメッキされて形成されることができる。この場合、本実施例では、吐出板１５０の表面に金属を塗り付けることで外観を派手でかつ美しく加工して化粧品容器１１の付加価値を高めることができる。この際、外面１５５は、電気メッキ、化学メッキ、溶融メッキのうち少なくとも一つ以上で形成されることができる。
【０２８０】
また、外面１５５は、気体状態の物質を前記吐出板の一面で固体化させ、前記吐出板に蒸着して形成されることができる。この際、外面１５５は、金、銀、銅、ニッケル、鉄、クロム、アルミニウム、銅、亜鉛、スズを含むグループより選択される少なくとも一つ以上の材質で蒸着されて形成されることができる。
【０２８１】
外面１５５が蒸着によって形成される場合、外面１５５は、ＰＶＤ（Ｐｈｙｓｉｃａｌ  Ｖａｐｏｒ  Ｄｅｐｏｓｉｔｉｏｎ）またはＣＶＤ（Ｃｈｅｍｉａｌ  Ｖａｐｏｒ  Ｄｅｐｏｓｉｔｉｏｎ）方式によって蒸着されて形成されることができる。
【０２８２】
ＰＶＤは、真空状態で電子ビーム、レーザービーム、またはプラズマを利用して固体状態の物質を気体相に作って吐出板１５０の上面に凝縮／結晶化して付着させる方式であり、アルミニウム、金、銀、銅などの金属等が蒸着物質として使用されることができる。反面、ＣＶＤは蒸着しようとする物質をガスの形態で移動させてガスの反応により吐出板１５０の上面に付着させる方式である。
【０２８３】
もちろん、本実施例では、上記の二通りの方式以外にも広く知られている多様な方式で金属などの材質を吐出板１５０の上面に蒸着することで、外面１５５を形成することができる。
【０２８４】
これにより、本実施例では、非金属材質の吐出板１５０を使用しても金属材質の外面１５５を形成し、第１実施例で言及した冷感効果などを確保することができ、秀麗な外観を通じてユーザーの満足度を極大化することができる。
【０２８５】
本発明は、上記の第１ないし第９実施例以外にも、第１ないし第９実施例で少なくともいずれか一つが選択されて組み合わされる実施例を含むことができ、第６ないし第９実施例で繊維材質１５３、薄膜１５４、または外面１５５を形成するか、吐出板１５０の一面をコーティングすると、吐出口１５１が閉鎖されないように繊維材質１５３、薄膜１５４、外面１５５などに吐出口１５１と連通される孔や流路を形成することで、化粧品の排出が円滑に行われるようにすることができる。
【０２８６】
また、第６ないし第９実施例では、吐出板１５０に繊維材質、薄膜、ステッカー膜、コーティング、メッキ、蒸着などによって加工される部分は、吐出板１５０と材質を異にする吐出板加工部であると言うことができる。
【０２８７】
また、第５実施例では、吐出板１５０は、一面の少なくとも一部分が非金属材質であり得るし、この際、非金属材質からなる部分は、吐出板１５０と材質を異にする吐出板加工部であると言うことができる。
【０２８８】
図２４及び図２５は、本発明の第１０ないし第１４実施例による化粧品容器の斜視図である。図２４は、蓋２９０が覆われている状態を示されたものであり、図２５は、蓋２９０が開いている状態を示されたものである。
【０２８９】
また、図２６は、本発明の第１０実施例による化粧品容器の分解斜視図、図３１は、本発明の第１０実施例による化粧品容器の部分断面図である。
【０２９０】
図２４ないし図２６及び図３１を参照すれば、本発明の第１０実施例による化粧品容器２１は、排出手段２１０、吐出板２２０、拡散部２３０、密着面２４０、パッキング材２５０、６０、縁部２７０、外側カバー２８０、蓋２９０を含む。
【０２９１】
排出手段２１０は化粧品を排出する。排出手段２１０は、内部に化粧品を収容してからユーザーの操作などによって内部に収容された化粧品を出口２１１へ排出するエアレスポンプ２１０であることがある。
【０２９２】
排出手段２１０がエアレスポンプ２１０である場合、排出手段２１０はシリンダ（図示せず）内で上下に昇降されるピストン（図示せず）を利用して化粧品を排出させることができ、シリンダとピストンなどのようなエアレスポンプ２１０の詳細構造は、一般的に広く知られているため、詳しい説明は省略する。
【０２９３】
排出手段２１０に収容される化粧品は、液状であるかまたは固体が混合した液状など多様な形態であり、ローションや紫外線遮断剤などのように多様な成分を有する組成物であり得る。すなわち、本発明は化粧品の成分や状態、使用目的などに特に限定しない。
【０２９４】
排出手段２１０は、出口２１１を介して化粧品を排出するが、この際、排出手段２１０の出口２１１は別途で設けられる弾性部材（図示せず）によって上昇されている場合があり得る。排出手段２１０の出口２１１が後述する吐出板２２０などによって下方に加圧されれば、エアレスポンプ２１０の一般的な原理にしたがって出口２１１を介して化粧品が外部へ排出されることができる。
【０２９５】
排出手段２１０は、一定の大きさを有することによって内部に貯蔵されている化粧品の容量が減少すれば、空いている空間が徐々に拡大されることができる。ただし、排出手段２１０は化粧品が位置した部分に空の空間を形成しないようにするために、内部に加圧板（図示せず）を設けることができる。
【０２９６】
加圧板は、排出手段２１０の出口２１１を介して化粧品が抜けてゆくと、排出手段２１０内部の圧力低下を防止して外部から空気が排出手段２１０の内部に流入されることを防止することができる。
【０２９７】
加圧板は、化粧品が排出されるにしたがって上昇または下降して化粧品が貯蔵された空間の圧力を一定に維持することができ、この際、加圧板の昇降ができるようにするために排出手段２１０の一側には空気が流入され得るようにする空気流入口（図示せず）が形成されることができる。
【０２９８】
すなわち、排出手段２１０から化粧品が抜けてゆけば、化粧品と出口２１１との間の空間が化粧品の排出量に応じて減少されることができるように加圧板が上昇または下降することができる。これを通じて本実施例は、排出手段２１０に収容された化粧品が空気と接触されない状態で置かれているようにすることで、化粧品の汚染を防止することができる。
【０２９９】
また、本実施例では、排出手段２１０としてエアレスポンプ２１０を使用する代りに、液状の化粧品が含浸されているスポンジを使用することができる。スポンジは、拡散部２３０によって加圧されることによって内部に収容している化粧品を拡散部２３０の拡散空間２３１へ排出させることができる。
【０３００】
スポンジは、加圧されると上面全体で化粧品が上方へ排出されることができるので、本実施例では、スポンジを排出手段２１０として使用する場合、拡散部２３０の拡散空間２３１に連通される加圧板（図示せず）を具備することができる。
【０３０１】
加圧板は、スポンジの上面をすべて覆う形態で具備されてスポンジを加圧し、スポンジから排出される化粧品を拡散部２３０の拡散空間２３１にのみ供給されるようにして化粧品が外部へ漏れるのを防止することができる。すなわち、加圧板の縁は後述する外側カバー２８０の内側にシーリングされており、加圧板で拡散部２３０と連通される部分に孔を形成してスポンジから排出される化粧品が円滑に吐出板２２０まで伝達されるようにすることができる。
【０３０２】
スポンジは、ポリアミド、ポリエステル、ポリエーテル、ポリウレタン、ポリエチレン、ポリスチレン、ポリオレフイン、ポリビニールアルコール、ポリアミド、ポリエステル、ポリプロピレン、ポリアクリル、ポリビニールクロライド、エポキシレジン、海錦、ナイロン、木綿、不織布などを含むグループから選ばれる少なくともいずれか一つ以上によって構成されることができる。
【０３０３】
また、本実施例で排出手段２１０は、弾性変形される袋であり得る。すなわち、排出手段２１０は、嵩が可変される袋の形態で具備されて、化粧品が排出されると排出手段２１０の大きさが自然に減るようにすることができる。一例として排出手段２１０は、風船などのような形態も可能である。
【０３０４】
吐出板２２０は、排出手段２１０の一側に設けられて化粧品が貫通される少なくとも一つ以上の吐出口２２１を有する。吐出板２２０は、さびが生ずることが防止する鉄、ステンレススチール、銅、亜鉛、スズ、アルミニウムなどのような金属材質で形成されることができ、またこのような素材の合金またはメッキされた金属材質で構成されることができる。
【０３０５】
特に、吐出板２２０にメッキをする場合、クロム、銅、銀、金などのように耐食性と防汚性、抗菌性能、そして美しさと美麗さを付与してユーザーに高級感を付与することができ、衛生性を満足させることができる材質を使用することが望ましい。
【０３０６】
この際、吐出板２２０は、厚さが０．１ないし１ｍｍ（望ましくは０．２ｍｍないし０．３ｍｍで、アルミニウム、アルミニウム合金、ステンレスなどのような腐食に強くて、さびがつかない金属素材で構成されることができ、セラミックスのような素材で構成されることもできる。
【０３０７】
具体的には、吐出板２２０は、ステンレスとして耐食性、耐酸性、耐熱性が良好なＳＵＳ３００系列のうちＳＵＳ３０４材質であり得るし、特に、抗菌性と衛生性を向上させるために、３０４Ｊ１材質からなることができる。
【０３０８】
もちろん、本実施例では吐出板２２０の材質をこれに限定せず、３０４系列を含む３０１Ｌ、３０４Ｌ、３０４ＬＮ、３０４Ｎ１、３０５ＥＧ、３０９Ｓ、３１０Ｓ、３１６、３１６Ｌ、３１６ＬＮ、３１６Ｔｉ、３１７Ｌ、３２１、３４７、３２９Ｊ３Ｌ、３２９ＬＤのうち少なくともいずれか一つの材質からなることができる。
【０３０９】
したがって、本実施例では、ＳＵＳ３００系列のステンレスからなる吐出板２２０を使用することで、排出手段２１０を介して排出される化粧品が安着されて化粧品が持続的に付着することになる吐出板２２０上面の衛生を清潔に維持することができ、腐食などを効果的に防止することができる。
【０３１０】
また、本実施例では、金属材質の吐出板２２０を利用することによって吐出板２２０が熱を効率的に発散できるようにし、化粧品の温度を下げる冷却効果を具現することができる。これについては前述した他の実施例で表などを通じて説明したことがある。
【０３１１】
本実施例では、前に言及したように、ポンプ２１０の代わりに含浸スポンジを使用することができるが、後述するスポンジを使用しても吐出板２２０は、拡散部２３０によってスポンジと離隔されるように配置される。
【０３１２】
したがって、吐出板２２０がスポンジと持続的に接触するのではなく、排出手段２１０としてスポンジを使用するとしても吐出板２２０による化粧品の冷却が行われることができる。また、拡散部２３０を介して化粧品を排出させるものなので、スポンジに空気が流入されることを防止することができ、これにより、化粧品の汚染を源泉遮断することができる。
【０３１３】
吐出板２２０は、上面に化粧品が付着するようになるが、ユーザーがパフなどを利用して吐出板２２０の付着した化粧品を擦る時、化粧品に含まれる粉末などによって吐出板２２０上面の摩耗が起こり得る。
【０３１４】
したがって、本実施例では、吐出板２２０を化粧品に含まれる顔料より強い硬度を有する材質で製作するか、吐出板２２０の上面をコーティングするか、または特定の物質でメッキすることで、ユーザーが化粧品を吐出板２２０の上面で擦っても吐出板２２０の耐久度が低下されることを防止することができる。
【０３１５】
この際、吐出板２２０には吐出板２２０を構成する金属と異なる金属がメッキされることができ、一例としてクロムメッキが行われることができる。具体的には、吐出板２２０には３価クロムメッキまたは６価クロムメッキが適用されることができる。
【０３１６】
このように本実施例では、吐出板２２０を金属材質で形成して、少なくとも一面にクロムをメッキすることで、衛生性と抗菌性及び耐久性をすべて確保することができ、かつ吐出板２２０に付着している化粧品が簡便に拭き取られるようにすることで、清潔な使用が可能にしてユーザーの便宜性を高めることができる。これは、本実施例が吐出板２２０の上面に別途の部材が載せられないようにして吐出板２２０の上面が直接外部へ露出するようにしたために可能である。
【０３１７】
吐出板２２０には、化粧品の排出のための吐出口２２１が少なくとも一つ以上用意されるが、吐出口２２１は排出手段２１０の出口２１１を基準に放射状に具備されることができる。この際、放射状に具備される吐出口２２１は、吐出板２２０の中心から遠ざかるにしたがって直径が大きくなることがある。
【０３１８】
化粧品は、排出手段２１０によって中央から排出されて拡散空間２３１に沿って広がるようになるので、中心から遠ざかるにしたがって相対的に化粧品の流量が減少するようになる。したがって、吐出口２２１の直径をすべて同一にすると、吐出板２２０の上面には化粧品が均一に分布されないこともあるから、吐出口２２１は中心から遠ざかるにしたがって大きく形成することが望ましい。
【０３１９】
吐出口２２１は、放射状に配置されること以外にも、特定の模様を有する形態で配置されることができる。一例として円型や多角形、星模様などのような多様な形態を有するように配置されることができ、一つの吐出口２２１のみ配置されることもできる。
【０３２０】
吐出口２２１は、排出手段２１０の出口２１１と行き違うように配置されることができる。これは、排出手段２１０から排出される化粧品が拡散部２３０を経って吐出口２２１に直接吐出されると、粘度の低い化粧品の場合、跳ね上がってユーザーに不便さを与えることがあるからである。
【０３２１】
吐出板２２０に形成された吐出口２２１は、直径が０．１ないし１ｍｍで非常に小さいことがありえる。吐出口２２１の直径を小さくするのは、ユーザーが排出手段２１０を通じて吐出板２２０の上部へ排出される化粧品の量を容易でかつ細密に調節できるようにするためであり、また吐出口２２１を介して異物が内部に流入されないようにするためである。
【０３２２】
具体的には、吐出口２２１は、吐出板２２０の中心を基準に４５°間隔で放射状に具備されることができ、吐出板２２０の中心部分から遠ざかる一定の方向に３個が並んで具備されることができる。この際、並んで具備される３個の吐出口２２１は、吐出板２２０の中心から近い順に０．３ｍｍ、０．４ｍｍ、０．５ｍｍの直径を有することができる。
【０３２３】
したがって、本実施例では、エアレスポンプ２１０タイプの排出手段２１０に上記のように非常に小さな直径を有する吐出口２２１を具備した吐出板２２０を使用するので、化粧品が空気と接触されることを最大限遮断することで、化粧品に含まれた一部成分が揮発されることを充分に防止することができる。
【０３２４】
このように吐出口２２１が非常に小さな直径を有することによって、吐出板２２０を射出方式で製作する場合には、吐出口２２１の正確な製作が難しい。したがって、本実施例では、吐出板２２０を製作した後、吐出口２２１をエッチング方式によって成形し、０．１ｍｍの吐出口２２１を製作することができる。
【０３２５】
吐出板２２０は、前述したように金属材質で製作されることができるが、冬のように温度の低い環境では、むしろ冷却効果がユーザーに不便さを与える場合がある。したがって、吐出板２２０はこれを解決するためにプラスチック、木、ＭＤＦ、非金属鉱物、紙、シリコン、セラミックス、ゴム、ガラスを含むグループより選択される少なくとも一つ以上の非金属材質からなることができる。
【０３２６】
本実施例の化粧品容器２１に収容される化粧品が夏に主に使われる化粧品であれば、吐出板２２０は金属材質からなることができ、化粧品容器２１に収容される化粧品が夏ではない冬などに主に使われる化粧品であれば、吐出板２２０は非金属材質からなることができる。
【０３２７】
吐出板２２０が非金属材質である場合、吐出板２２０は、一例としてポリウレタン、ポリエチレン、ポリエステル、ポリエーテル、ポリプロピレン、ポリスチレン、ＡＢＳ、ＳＡＮ、アクリル、ポリアミド、ポリカーボネート、ポリエチレンテレフタルレート、ナイロンを含むグループより選択される少なくとも一つ以上の材質からなることができる。
【０３２８】
この場合、非金属材質の吐出板２２０は、非導電性材質からなると見ることができ、非導電性材質からなる吐出板２２０は、ユーザーが吐出板２２０の上面に露出された化粧品を塗るためにパフを吐出板２２０に擦る場合、パフと吐出板２２０との間の摩擦によって静電気などが発生することを防止することができる。すなわち、吐出板２２０は非導電性材質からなることによって、排出された化粧品を擦るためのパフとの摩擦時の静電気の発生を抑制することができる。
【０３２９】
吐出板２２０は、このように金属材質または非金属材質からなることができ、吐出板２２０の上面などの一面にはフロック加工によって繊維材質が具備されるか、コーティングによって薄膜が形成されるか、または蒸着によって外面が形成されることができる。
【０３３０】
その他にも吐出板２２０の一面に対する加工は、ユーザーの満足度を高める方向に多様に具現されることができる。すなわち、本発明は吐出板２２０の材質や一面に対する加工可否、加工方法、加工素材などに対して限定しないこともある。すなわち、本実施例の吐出板２２０は、前述の第１ないし第９実施例などで説明した吐出板１５０についての内容を包括することができる。
【０３３１】
吐出板２２０の一側には結合口２２２が形成されることができる。この際、結合口２２２は拡散部２３０の結合突起２３６にかみ合わされることができ、結合口２２２と結合突起２３６とがかみ合うことによって吐出板２２０が拡散部２３０に安着されることができる。
【０３３２】
結合口２２２と結合突起２３６を利用するのは、吐出板２２０の安着角度を制限するためである。すなわち、吐出板２２０に形成された吐出口２２１が拡散部２３０に形成された拡散空間２３１と連通されるために吐出板２２０が置かれなければならない角度が限定され得るが、これを構造的に制限するものである。
【０３３３】
もちろん、上記と異なるように吐出板２２０に結合突起２３６が具備されて拡散部２３０に結合口２２２が形成されることもでき、その他の公知の多様な構造を利用して吐出板２２０の安着角度を制限することができる。ただし、吐出板２２０の安着角度が変化されても化粧品の排出がない場合、すなわち吐出板２２０の吐出口２２１が円形で配置され、拡散空間２３１も同様に円形の場合には、上記の結合口２２２と結合突起２３６の構成を省略することができる。
【０３３４】
拡散部２３０は、吐出板２２０と排出手段２１０との間に具備されて排出手段２１０から排出された化粧品を吐出口２２１へ伝達するための拡散空間２３１を具備する。
【０３３５】
拡散部２３０は、吐出板２２０と排出手段２１０とを離隔させる構成であり、一つの出口２１１から排出される化粧品をいくつかの吐出口２２１へそれぞれ伝達する役目をする。このために、拡散空間２３１と排出手段２１０の出口２１１とは、連通口２３２によって連通されることができる。
【０３３６】
拡散部２３０は、排出手段２１０の出口２１１から排出される化粧品が吐出口２２１に均等に伝達されるようにすることができ、この際、吐出口２２１は排出手段２１０の出口２１１から遠ざかるにしたがって大きさが大きくなることがあるので、拡散空間２３１を経ってそれぞれの吐出口２２１へ十分な化粧品が吐出されることができる。
【０３３７】
また、拡散空間２３１は、外側へいくにしたがって上下の幅が減ることによって外側に配置される吐出口２２１へ化粧品を円滑に伝達することができる。すなわち拡散空間２３１は、外側へいくにしたがって上方へ高くなるような傾斜形態でありえる。
【０３３８】
排出手段２１０には、化粧品が収容されており、出口２１１の外には外部と隔離されているので汚染が最小限に減らされることができる。また、吐出板２２０の上面に吐出される化粧品は、空気と接触されるので汚染が発生する恐れがあるが、これはユーザーによって短時間内に使われるはずなので長時間露出による汚染は問題にならない。
【０３３９】
ただし、拡散部２３０の拡散空間２３１に収容されている化粧品が問題となり得る。拡散空間２３１に収容された化粧品は、排出手段２１０に収容された化粧品に比べて空気と接触する可能性が高いからである。
【０３４０】
しかし、実施例では、拡散部２３０に残留している化粧品を最少化することで、化粧品の汚染を防止することができる。このために拡散部２３０は、拡散空間２３１を除いた部分に後述する密着面２４０を具備することができる。
【０３４１】
拡散部２３０は、密着面２４０を介して吐出板２２０と面接触により密着されることができる。この際、面接触される部分は、拡散部２３０の上面であり、拡散空間２３１の外側部分でありえる。これは、拡散空間２３１のみ吐出板２２０と離隔されるようにして、残りの部分がすべて吐出板２２０と密着されるようにし、拡散空間２３１の外側へ化粧品が抜けてゆくことを防止するためである。
【０３４２】
この場合、拡散空間２３１にのみ化粧品が残留することになるので、拡散部２３０の上面などの部分に化粧品が残留しなくなることによって、化粧品の残留量を最少化することができる。したがって、本実施例ではユーザーの使用満足度を大幅に向上させることができる。
【０３４３】
密着面２４０は、吐出板２２０と密着される。密着面２４０は、拡散部２３０の上面に設けられて吐出板２２０の下面に密着され、拡散部２３０と吐出板２２０とを密着させる構成である。このために、拡散部２３０の上面には密着面２４０の安着のための空間が形成されることができる。この際、空間とは、拡散空間２３１と吐出板２２０の下面との間の空間を意味する。
【０３４４】
密着面２４０が外側に押されることを防止して密着面２４０の位置を一定に維持させるために、拡散部２３０には縁突起２３３が具備されることができる。
【０３４５】
縁突起２３３は、拡散部２３０の上面で密着面２４０の縁に少なくとも一つ以上、または弧やリング形態に突き出されて密着面２４０の縁を取り囲む。
【０３４６】
密着面２４０は、拡散空間２３１の外側に具備される。密着面２４０は、吐出板２２０と拡散部２３０とを密着させるが、拡散空間２３１のみは吐出板２２０と離隔させて化粧品の流入を許容することができる。すなわち、密着面２４０は拡散空間２３１の外側に具備されながら拡散空間２３１ではない残りの部分に対して拡散部２３０と吐出板２２０とを密着させ、化粧品が漏れるのを源泉遮断することができる。
【０３４７】
密着面２４０は、薄い板形態に設けることができ、拡散部２３０の一面に拡散部２３０と一体で具備されることができる。ただし、密着面２４０は拡散部２３０より薄い厚さを有することができ、吐出板２２０よりも相対的に厚い厚さを有することができる。
【０３４８】
密着面２４０は、拡散部２３０と吐出板２２０との密着を堅固に維持するために、摩擦力の高い材質からなることができる。一例として、密着面２４０は繊維材質または発泡樹脂などの多様な材質からなることができる。この際、密着面２４０は拡散部２３０と異なる材質からなることができ、この場合、密着面２４０は二重射出によって拡散部２３０に設けることができる。
【０３４９】
密着面２４０は、発泡樹脂などで製作されることができるが、この際セルの大きさは化粧品の流入が許容されない小さな大きさでありえる。化粧品が密着面２４０に含浸されると、密着面２４０による密閉がまともに行われないことがあるからである。
【０３５０】
密着面２４０は、拡散部２３０と一体で製作されることができ、または、別途で具備されて拡散部２３０の上面に安着されることもできる。すなわち、密着面２４０と拡散部２３０は、一度に製作されるかまたは別途で製作されて、別途で製作される場合、密着面２４０は、公知の接着剤を利用して拡散部２３０に接着されるか、または多様な公知の結合構造を用いて固定することができる。
【０３５１】
密着面２４０は、拡散空間２３１の外側に具備されながら拡散空間２３１の外側を吐出板２２０に密着させるが、この際、拡散空間２３１が覆われることを防止するために、密着面２４０は拡散空間２３１に対応する部分が貫通された形態を有することができる。この場合、密着面２４０に形成される貫通部分を指し示す拡散口２４１は、拡散空間２３１と連通されることができる。
【０３５２】
また、密着面２４０は吐出板２２０の吐出口２２１に対応する部分が貫通される形態を有することができ、この場合、拡散口２４１は拡散空間２３１と類似または異なる形態を有することができる。ただし、拡散口２４１は少なくとも吐出口２２１を塞がない形態で具備されることが望ましい。
【０３５３】
パッキング材２５０は、拡散空間２３１の外側に具備されて化粧品の漏出を防止する。拡散部２３０は、パッキング材２５０の安着のためのパッキング溝２３４を具備することができ、パッキング溝２３４は、拡散空間２３１を取り囲む形態を有することができる。
【０３５４】
一例として、拡散部２３０のパッキング溝２３４は、花模様またはリング形態でありえるし、パッキング溝２３４の形状に応じてパッキング材２５０の形状が決定されることができる。この際、パッキング材２５０は、一つの一体型構成であるか、または一つ以上の分離結合が可能な構成であり得る。
【０３５５】
パッキング材２５０は、ゴムなどのように圧縮可能な材質からなることができ、パッキング材２５０が具備されるパッキング溝２３４は、あくまでも拡散空間２３１の外側にあたるため、パッキング材２５０の上部には密着面２４０が配置されることができる。
【０３５６】
したがって、パッキング材２５０は密着面２４０によって圧縮されることができ、密着面２４０とともに二重で化粧品が漏れることを防止するような役目をすることができる。特に、パッキング材２５０は、パッキング溝２３４よりも相対的に大きい高さを有することによって、パッキング溝２３４に安着されたパッキング材２５０が密着面２４０を押し上げることができ、これにより、密着面２４０と吐出板２２０との密着がさらに堅固に維持されるようにすることができる。
【０３５７】
パッキング材２６０は、密着面２４０の外側に具備される。前記パッキング材２５０は、密着面２４０の下部に具備される反面、本パッキング材２６０は、密着面２４０の外側に具備されて二重密着を具現する。すなわち、前記パッキング材２５０は、上下に二重密着を具現し、本パッキング材２６０は、内外に二重密着を具現することができる。
【０３５８】
パッキング材２６０は、前に説明したパッキング材２５０と同一または類似な形態で具備されて、同一または類似な材質で製作されることができる。ただし、パッキング材２６０は、前記パッキング材２５０よりも幅が広く構成されることができる。
【０３５９】
パッキング材２６０の安着のために吐出板２２０には、パッキング溝２３５が形成されることができるが、この際、パッキング溝２３５は前記パッキング溝２３４の外側に具備されることができる。
【０３６０】
また、前記パッキング溝２３４は、密着面２４０の下部にパッキング材２５０を具備するためのもので、本パッキング溝２３５は密着面２４０の外側にパッキング材２６０を具備するためのものなので、本パッキング溝２３５は、前記パッキング溝２３４よりも上方に位置することができる。この際、二つのパッキング溝２３４、３５の間の高さの差は結局は密着面２４０の厚さにしたがうのである。
【０３６１】
縁部２７０は、吐出板２２０の縁に結合される。縁部２７０は、後述する外側カバー２８０を基準に吐出板２２０の昇降が可能になるように設けるための構成であり、内側縁部２７１と外側縁部２７２とを含むことができる。
【０３６２】
内側縁部２７１は、吐出板２２０の縁を取り囲みながら吐出板２２０に固定されることができる。この際、内側縁部２７１の内部は貫通された形態で、吐出板２２０が外部へ露出するようにして吐出板２２０の上面に排出された化粧品を外部へ露出させることができる。
【０３６３】
内側縁部２７１は、吐出板２２０と一体型で製作されることができる。これは、内側縁部２７１の下降時に吐出板２２０がともに下降するような構成であるからである。この場合、内側縁部２７１の材質は、吐出板２２０の材質と同一または類似した場合があり、一例として、鉄、ステンレススチール、銅、亜鉛、スズ、アルミニウムなどのような金属材質またはこのような素材の合金またはメッキされた金属材質、その他の非金属材質などで構成されることができる。
【０３６４】
また、内側縁部２７１は、美観向上、耐久性向上などの効果を有するために吐出板２２０と同様にクロム、銅、銀、金などの金属材質でメッキされることができる。
【０３６５】
内側縁部２７１は、吐出板２２０の縁から遠ざかるにしたがって緩やかに高さが上昇するような形態を有することができる。これは、ユーザーが吐出板２２０をパフで擦る時に内側縁部２７１が段差として作用しないようにすると同時に、化粧品が外部へ抜けてゆくことを防止するためである。
【０３６６】
外側縁部２７２は、内側縁部２７１の外側に具備されて、外側カバー２８０に結合されることができる。ただし、外側縁部２７２は内側縁部２７１に固定されず、内側縁部２７１の昇降を許容しながら内側縁部２７１の外側を取り囲むことができる。
【０３６７】
このために、内側縁部２７１の外面には突起２７１１が形成されて、外側縁部２７２の内面には内側縁部２７１の突起２７１１に対応する溝２７２１が形成され、外側縁部２７２は内側縁部２７１の回転は制限し、昇降は許容することができる。
【０３６８】
外側縁部２７２の側面のうち後述する掛け部２８２の掛け金２８２２が設けられる部分は、結合の際に構成間の干渉を回避するために陥没されるか、または開放されていることがあり得る。
【０３６９】
外側縁部２７２は、外側カバー２８０に結合されることができ、内側縁部２７１は外側縁部２７２を基準に昇降されて排出手段２１０を作動させることができる。
【０３７０】
すなわち、ユーザーは、外側カバー２８０を把持した状態で内側縁部２７１の内側にある吐出板２２０をパフ（図示せず）などで加圧すれば、外側カバー２８０に結合された外側縁部２７２の内側で、吐出板２２０と結合された内側縁部２７１が降りながら排出手段２１０が作動することによって化粧品が吐出板２２０の上面及び内側縁部２７１の奥側へ供給されることができる。したがってユーザーは、吐出板２２０の上面に露出した化粧品をパフなどで取って肌に塗って使用することができる。
【０３７１】
ただし、本実施例では、内側縁部２７１の代わりに吐出板２２０の外側に別途で設けられるボタン構造（図示せず）によって排出手段２１０による化粧品の吐出が具現されるようにすることができる。
【０３７２】
この際、使用されるボタン構造は、エアレスポンプ２１０の出口２１１を加圧して化粧品を吐出させる、一般的に知られた梃子方式のボタン構造などを使用することができる。この場合、内側縁部２７１は、内側で吐出板２２０の昇降を許容するように設けることができる。
【０３７３】
外側カバー２８０は、排出手段２１０の周辺を取り囲む構成である。外側カバー２８０は、排出手段２１０が安着されるようにする空間を有し、ただし、外側カバー２８０には下方に排出手段２１０が露出されるようにする開放部２８１が形成されることができる。
【０３７４】
これは、ユーザーが外側カバー２８０の開放部２８１を介して排出手段２１０を上方へ押し上げれば、排出手段２１０などが分離されるようにし、排出手段２１０の入れ替えができるようにするためである。
【０３７５】
外側カバー２８０の上面は、外側から中心の方に向かう方向に沿って順次に外側縁部２７２、内側縁部２７１、吐出板２２０によってカバーされることができる。したがって、ユーザーは排出手段２１０などを外部から見ることができないため、本実施例では、美観を向上させてユーザーの満足度を高めることができる。
【０３７６】
外側カバー２８０には掛け部２８２が含まれることができる。掛け部２８２は、蓋２９０に結合されて蓋２９０の開放を遮断するもので、ボタン２８２１と掛け金２８２２が一体型で構成されることができる。すなわち、掛け部２８２は、ユーザーがボタン２８２１を押せば掛け金２８２２をも同様に加圧方向に動いて、掛け金２８２２が蓋２９０から離脱されるようにする方式により、蓋２９０の開閉を制御することができる。
【０３７７】
蓋２９０は、外側カバー２８０の一側（本実施例では上側）を開閉する。蓋２９０は、一側が外側カバー２８０にヒンジ結合されることができ、ヒンジの中心を基準に回転して外側カバー２８０の上部を開放させることができる。この際、蓋２９０は前に説明した掛け部２８２によって外側カバー２８０の上部を密閉した状態に固定されることができる。
【０３７８】
蓋２９０は、外側カバー２８０にヒンジ結合されるが、ヒンジ結合の部分にはスプリングなどを具備して掛け部２８２によって蓋２９０のロックが解除されれば自動的に蓋２９０が開放されるようにすることができる。
【０３７９】
蓋２９０の内側には、鏡２９１が具備されることができ、ユーザーは蓋２９０を開けて鏡２９１を見ながら吐出板２２０または内側縁部２７１を加圧して化粧品を排出手段２１０から排出させて使用することができる。
【０３８０】
このように本実施例では、吐出板２２０と拡散部２３０が面形態で密着されるようにし、拡散空間２３１に沿って流動する化粧品が拡散空間２３１の外側へ抜けてゆくことを防止することができるので、化粧品の無駄使いを源泉遮断することができ、拡散空間２３１にのみ化粧品が残留されるようにして化粧品の残留量を最少化することができる。
【０３８１】
図２７は、本発明の第１１実施例による化粧品容器の分解斜視図、図３２は本発明の第１１実施例による化粧品容器の部分断面図である。
【０３８２】
以下では図２４及び図２５とともに、図２７及び図３２を参照して本発明の第１１実施例について説明する。
【０３８３】
図２４ないし図２５と図２７及び図３２を参照すれば、本発明の第１１実施例は、密着面２４０を拡散部２３０の上面に取り替えることができる。すなわち拡散部２３０は、密着面２４０を利用することなく、直接上面を吐出板２２０の下面に密着させることができる。
【０３８４】
ただし、この場合、拡散部２３０の一面と吐出板２２０の一面との間の摩擦力及び密閉力を充分に確保する必要があるので、拡散部２３０の上面には摩擦力を向上させるための後加工が行われることがある。
【０３８５】
この際、後加工としては繊維材質を形成するフロック、表面粗さを向上させるコーティングなどでありえるし、それ以外にも多様な後加工が行われることができる。すなわち、本発明では拡散部２３０の上面に対する摩擦力と密閉力を高めるために、限定されない後加工を拡散部２３０の上面に適用することができる。
【０３８６】
本実施例では、密着面２４０を拡散部２３０の上面に接着するか、または構造的に結合するか、または一体で成形する第１０実施例とは異なり、拡散部２３０の上面自体が密着面２４０として作用するようにすることで、製造工程を一段階削減することができる。これにより、製造コストの低減が可能である。
【０３８７】
この際、本実施例では構成の省略により吐出板２２０の下面から拡散部２３０の下面までの厚さを減縮することができ、これによって化粧品容器２１の全体の厚さを減らすことができる。ただし、拡散部２３０の上面を密着面２４０にすることによって、パッキング材２５０は密着面２４０と別途の密着を遂行することができる。
【０３８８】
すなわち、断面を基準に内側から外側方向に説明すると、拡散部２３０の上面である密着面２４０と、パッキング材２５０、パッキング材２５０の外側に形成される拡散部２３０の上面である密着面２４０、そして他のパッキング材２６０によって４重に密着が行われることができる。ただし、本実施例では上下に二重密着は具現されない。
【０３８９】
このように本実施例では、拡散部２３０の上面を後加工して拡散部２３０の上面が密着面２４０として作用するようにし、化粧品が拡散空間２３１の外部へ抜けてゆくことを防止しながら構成をさらに単純化して製造コストを低減することができる。
【０３９０】
図２８は、本発明の第１２実施例による化粧品容器の分解斜視図、図３３は本発明の第１２実施例による化粧品容器の部分断面図である。
【０３９１】
図２８及び図３３とともに図２４及び図２５を再度参照すれば、本発明の第１２実施例による化粧品容器２１は、第１０実施例に比べてパッキング材２５０とパッキング溝２３４が省略されることができる。これは、密着面２４０による密閉力が充分に確保されることができるからである。
【０３９２】
すなわち、本実施例では密着面２４０を利用した密閉を具現するが、密着面２４０の下部に位置するパッキング材２５０を省略することで、構成を減らして構造を単純化し、コストを低減することができる。
【０３９３】
パッキング材２５０とパッキング溝２３４を省略すること以外には、第１０実施例と同一であるから、残りの構成についての説明は省略する。
【０３９４】
図２９は、本発明の第１３実施例による化粧品容器の分解斜視図、図３４は本発明の第１３実施例による化粧品容器の部分断面図である。
【０３９５】
図２９及び図３４とともに図２４及び図２５を再度参照すれば、本発明の第１３実施例による化粧品容器２１は、第１１実施例に比べてパッキング材２５０とパッキング溝２３４を省略した。
【０３９６】
パッキング材２５０とパッキング溝２３４の省略に関する内容は、前述した第１２実施例で説明したところと同一であるから、これについての説明は省略し、残りの構成は第１１実施例で説明したところと同一であるから詳しい説明を省略する。
【０３９７】
図３０は、本発明の第１４実施例による化粧品容器の分解斜視図、図３５は本発明の第１４実施例による化粧品容器の部分断面図である。
【０３９８】
図３０及び図３５とともに図２４及び図２５を再度参照すれば、本発明の第１４実施例による化粧品容器２１は、第１３実施例に比べて外側に具備されているパッキング材２６０を追加で省略した。
【０３９９】
すなわち、本実施例では、拡散部２３０の上面が密着面２４０を形成し、密着面２４０により吐出板２２０と拡散部２３０とが面接触して密閉力を確保できるようにしながら、パッキング材２５０、６０をすべて省略して構成を最小化した。
【０４００】
したがって、本実施例では密着面２４０による密閉力を通じて化粧品の漏出を防止しながらも、製造コストを革新的に低減することができるという効果がある。また、重量の減少や体積の減少などによってユーザーの使用満足度及び携帯性を向上させることができる。
【０４０１】
ただし、パッキング材２５０、６０の省略時に密閉力の低下が発生し得るため、本実施例では前に説明した他の実施例に比べて拡散部２３０の上面に対する後加工を異なるようにすることができる。すなわち、拡散部２３０上面である密着面２４０の密閉力を向上させる方向に後加工を遂行することができる。
【０４０２】
これは、前に説明した他の実施例に対しても同様に適用される。すなわちパッキング材２５０、６０の省略した場合に発生し得る密閉力の低下に備えて、密着面２４０に対する表面粗さや後加工方法、拡散部２３０の上面が密着面２４０を直接形成する場合、拡散部２３０の上面に対する後加工方法などを実施例ごとに異なるようにして適用することができる。
【０４０３】
以上、本発明について具体的な実施例を通じて詳しく説明したが、これは本発明を具体的に説明するためのもので、本発明はこれに限定されず、本発明の技術的思想内で当該分野における通常の知識を有する者によってその変形や改良が可能であることは明白であろう。
【０４０４】
さらに、本発明は、上記の実施例等のみならず、実施例等の組み合わせまたは一つ以上の実施例と公知技術の組み合わせをすべて含む。この際、ある一つの実施例に含まれた構成に対する説明は、他の一つ以上の実施例に含まれた関連構成に対する説明をもって代替することができる。
【０４０５】
さらに、本発明の単なる変形ないし変更は、いずれも本発明の範囲に属するものであり、本発明の具体的な保護範囲は添付された特許請求の範囲によって明確になるだろう。
【符号の説明】
【０４０６】
１１  化粧品容器、
１１０  容器本体、
１１１  上部本体、
１１２  下部本体、
１１３  加圧板、
１１４  空気流入口、
１２０  排出手段、ポンプ、
１２１  シリンダ、
１２１１  中空、
１２１２  第１の孔、
１２２  ピストン、
１２２２  第２の孔、
１２２３  フランジ、
１２３  昇降部材、
１２４  ピストンリング、
１２５  密閉部材、
１２６  弾性部材、
１２７  逆流防止部材、
１３０  ガイド板、
１３１  排出口、
１３２  排出路、
１３３  縁路、
１３４  シーリング部材、
１３５  ガイドリブ、
１３６  突出部、
１３７  突起、
１３８  補助縁路、
１３９  パッキング材、
１４０  網部材、
１４１  メッシュ部分、
１４２  陥没部、
１５０  吐出板、
１５１  吐出口、
１５２  結合口、
１５３  繊維材質、
１５３１  個別繊維、
１５４  薄膜、
１５５  外面、
１６０  縁部、
１６１  内側縁部、
１６１１  内側鋸歯、
１６２  外側縁部、
１６２１  外側鋸歯、
１６３  貫通口、
１７０  外側カバー、
１７１  開放部、
１７２  掛け部、
１７２１  ボタン、
１８０  蓋、
１８１  鏡、
１９０  ボタン部、
１９１  補助ボタン、
１９２  メインボタン、
１１００  ロッキング部、
１１０１  弾性片、
１１０２  突起部、
１１０３  ロッキング突起
２１  化粧品容器、
２１０  排出手段  、ポンプ、
２１１  出口、
２２０  吐出板、
２２１  吐出口、
２２２  結合口、
２３０  拡散部、
２３１  拡散空間、
２３２  連通口、
２３３  縁突起、
２３４  パッキング溝、
２３５  パッキング溝、
２３６  結合突起、
２４０  密着面、
２４１  拡散口、
２５０  パッキング材、
２６０  パッキング材、
２７０  縁部、
２７１  内側縁部、
２７１１  突起、
２７２  外側縁部、
２７２１  溝、
２８０  外側カバー、
２８１  開放部、
２８２  掛け部、
２８２１  ボタン、
２８２２  掛け金、
２９０  蓋、
２９１  鏡。
【図１】
2018011966.tif 000008
【図２】
2018011966.tif 000009
【図３】
2018011966.tif 000010
【図４】
2018011966.tif 000011
【図５】
2018011966.tif 000012
【図６】
2018011966.tif 000013
【図７】
2018011966.tif 000014
【図８】
2018011966.tif 000015
【図９】
2018011966.tif 000016
【図１０】
2018011966.tif 000017
【図１１】
2018011966.tif 000018
【図１２】
2018011966.tif 000019
【図１３】
2018011966.tif 000020
【図１４】
2018011966.tif 000021
【図１５】
2018011966.tif 000022
【図１６】
2018011966.tif 000023
【図１７】
2018011966.tif 000024
【図１８】
2018011966.tif 000025
【図１９】
2018011966.tif 000026
【図２０】
2018011966.tif 000027
【図２１】
2018011966.tif 000028
【図２２】
2018011966.tif 000029
【図２３】
2018011966.tif 000030
【図２４】
2018011966.tif 000031
【図２５】
2018011966.tif 000032
【図２６】
2018011966.tif 000033
【図２７】
2018011966.tif 000034
【図２８】
2018011966.tif 000035
【図２９】
2018011966.tif 000036
【図３０】
2018011966.tif 000037
【図３１】
2018011966.tif 000038
【図３２】
2018011966.tif 000039
【図３３】
2018011966.tif 000040
【図３４】
2018011966.tif 000041
【図３５】
2018011966.tif 000042
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
化粧品を外部へ排出させる排出手段と、
前記化粧品が排出される前記排出手段の一側に具備され、少なくとも一つ以上の吐出口を具備する吐出板と、を含む化粧品容器であって、
前記吐出板は、金属材質からなり、ユーザーのパフが前記吐出板に接触できるように外部へ露出され、
前記吐出板の押圧によって前記排出手段から化粧品が排出されることを特徴とする化粧品容器。
【請求項２】
化粧品を外部へ排出させる排出手段と、
前記化粧品が排出される前記排出手段の一側に具備され、少なくとも一つ以上の吐出口を具備する吐出板と、
前記排出手段と前記吐出板との間に具備され、前記化粧品を前記吐出口へガイドするガイド部と、を含む化粧品容器であって、
前記吐出板は、ユーザーのパフが前記吐出板に接触できるように外部へ露出され、
前記化粧品容器は、前記吐出板と前記排出手段との間に設けられて前記排出手段から排出された前記化粧品を前記吐出口へ送る拡散空間を有する拡散部をさらに含み、
前記拡散空間は、前記排出手段の出口を基準として放射状対称に設けられて、前記吐出口が位置する部分から前記出口から遠ざかる方向へ連続的な形態であることを特徴とする化粧品容器。
【請求項３】
化粧品を外部へ排出する排出手段と、
前記排出手段の一側に具備され、前記化粧品が通過する少なくとも一つ以上の吐出口を具備する吐出板と、
前記吐出板と前記排出手段との間に具備されて、前記化粧品を前記吐出口へ送る拡散部と、を含む化粧品容器であって、
前記吐出板は、ユーザーのパフが前記吐出板に接触できるように外部へ露出され、
前記化粧品容器が、前記拡散部に設けられて前記吐出板と面で密着することによってシーリングを達成するように構成された密着手段をさらに含むことを特徴とする化粧品容器。
【請求項４】
前記化粧品を前記排出手段と前記吐出口との間で拡散させて前記化粧品を前記吐出口へガイドする拡散空間を有する拡散部をさらに含むことを特徴とする請求項１に記載の化粧品容器。
【請求項５】
前記拡散空間は、前記排出手段の出口を基準として前記出口から遠ざかる方向には連続的であり、前記出口を中心とする仮想の円に沿った方向には非連続的であることを特徴とする請求項２ないし４のうちいずれか一項に記載の化粧品容器。
【請求項６】
前記拡散空間は、前記排出手段から排出された化粧品を前記吐出口に向けて流れるようにする排出路であり、
前記排出路は、少なくとも一つ以上の前記吐出口と連通していることを特徴とする請求項２ないし４のうちいずれか一項に記載の化粧品容器。
【請求項７】
前記吐出板は上面と平坦な下面を有し、前記吐出口は前記上面と前記平坦な下面との間で前記吐出板を貫通することを特徴とする請求項１ないし３のうちいずれか一項に記載の化粧品容器。
【請求項８】
前記吐出板は、外部へ露出される一面に前記化粧品が含浸されないように配置されることを特徴とする請求項１ないし３のうちいずれか一項に記載の化粧品容器。
【請求項９】
前記排出手段は、シリンダー内で上下に動くピストンを使用して、内部に収容された化粧品を前記出口へ排出するエアレスポンプであることを特徴とする請求項１ないし３のうちいずれか一項に記載の化粧品容器。
【請求項１０】
前記化粧品容器が、前記吐出板と前記拡散部を固定する縁部を更に含み、
前記縁部が、前記吐出板と前記拡散部を固定しながら、前記吐出板と共に下方へ動くことを特徴とする請求項２ないし４のうちいずれか一項に記載の化粧品容器。
【請求項１１】
前記吐出板及び前記拡散部が圧縮されながら、前記縁部が、前記吐出板と前記拡散部を固定することを特徴とする請求項１０に記載の化粧品容器。
【請求項１２】
前記縁部が、前記拡散部の上部に結合されると共に前記吐出板の縁を取り囲むことを特徴とする請求項１０に記載の化粧品容器。
【請求項１３】
前記縁部が内側縁部であり、前記内側縁部が前記吐出板の縁を取り囲むと共に前記拡散部に結合され、
前記化粧品容器が、容器本体と外側縁部とをさらに含み、
前記容器本体の内部に前記化粧品が収容されると共に、前記容器本体の内部に前記排出手段が設けられ、
前記外側縁部が、前記容器本体に結合されると共に、前記内側縁部の外側に設けられることを特徴とする請求項１０に記載の化粧品容器。
【請求項１４】
前記外側縁部が、前記内側縁部の回転を制限すると共にその昇降を許容することを特徴とする請求項１３に記載の化粧品容器。
【請求項１５】
前記内側縁部が上下方向に動いたときに前記内側縁部の回転を制限するための突出部、又は、前記突出部に対応する溝部が、前記内側縁部の外側面、又は前記外側縁部の内側面に設けられることを特徴とする請求項１３に記載の化粧品容器。
【請求項１６】
前記突出部が、鋸歯状であることを特徴とする請求項１３に記載の化粧品容器。
【請求項１７】
内側鋸歯が、前記内側縁部の外側面に形成され、
前記内側鋸歯に対応する外側鋸歯が、前記外側縁部の内側面に形成されることを特徴とする請求項１６に記載の化粧品容器。
【請求項１８】
前記拡散部が下方向に動くときに前記容器本体の上部分に接触することで前記吐出板が下方向に動くのを防止する突出部が、前記拡散部の下面に設けられていることを特徴とする請求項１３に記載の化粧品容器。
【請求項１９】
結合口又は突出部が、前記拡散部又は前記吐出板の一側に形成され、
前記突出部が前記結合口と係合されるとき、前記吐出板が前記拡散部の中に位置することを特徴とする請求項１０に記載の化粧品容器。
【請求項２０】
前記外側縁部の下部分が前記容器本体の上部分に接触することを特徴とする請求項１３に記載の化粧品容器。
【請求項２１】
外方に向かって突出して前記吐出板から上方向に離間した凸面が、前記吐出板の外周の上部分に位置する前記内側縁部の内側面に形成されることを特徴とする請求項１３に記載の化粧品容器。
【請求項２２】
内方に向かって突出して前記吐出板から下方向に離間した凸面が、前記外側縁部の外側面に形成されることを特徴とする請求項１３に記載の化粧品容器。
【請求項２３】
前記化粧品容器が、前記容器本体の外周を取り囲む外側カバーであって、前記容器本体を露出させる開放部を有する外側カバーをさらに含み、
前記外側縁部が、前記外側カバーに結合される段差部を有することを特徴とする請求項１３に記載の化粧品容器。
【外国語明細書】
2018011966000001.pdf